(57)【要約】  【課題】  トップシンバルパッド部の打撃によって生じるトップシンバルパッド部とボトムシンバルパッド部との滑合の際に、トップシンバルパッド部がボトムシンバルパッド部上をスムーズに滑り得る電子打楽器を提供すること。  【解決手段】  本発明の電子打楽器によれば、トップシンバルパッド部の揺動に伴ってボトムシンバルパッド部が揺動する上に、これらのパッド部が互いに接触する部分に、互いのパッド部の滑りを促進する滑り部材を備えている。よって、トップシンバルパッド部が打撃されてボトムシンバルパッド部と接触しつつ揺動する場合であっても、トップシンバルパッド部とボトムシンバルパッド部との滑合がスムーズに行なわれ得、アコースティックなハイハットシンバルを打撃しているかのような自然な打撃感を提供するという効果がある。  【選択図】    図１
2005208555.tif 000002
【特許請求の範囲】
【請求項１】
弾性体の打面を有する第１のパッドと、
その第１のパッドを、所定の操作により上下動する軸に揺動自在に固定するための第１の固定手段と、
前記第１のパッドに対向する第２のパッドと、
その第２のパッドを、前記上下動する軸と同軸上の軸に、前記第１のパッドの揺動を伝達可能な位置に揺動自在に固定するための第２の固定手段と、
前記第１のパッドの打撃を検出する第１のセンサとを備えていることを特徴とする電子打楽器。
【請求項２】
前記第１のパッド及び前記第２のパッドが互いに接触する部分に、互いのパッドの滑りを促進する滑り部材を備えていることを特徴とする請求項１記載の電子打楽器。
【請求項３】
前記第１のパッドおよび前記第２のパッドは、略円形の皿状であり、
前記滑り部材は、前記第１のパッド又は前記第２のパッドのいずれかのパッドに設けられ、該パッドの直径方向の断面において取り付け面から突出する略円弧部分を有する第１の滑り部材と、他方のパッドの外周に第１の滑り部材と対向する位置に設けられた平面状の第２の滑り部材とを備えているものであることを特徴とする請求項２記載の電子打楽器。
【請求項４】
前記第１の滑り部材は、前記一方のパッドの中心を中心とする略円環状に配置されるチューブ状の部材であることを特徴とする請求項３記載の電子打楽器。
【請求項５】
前記第２の滑り部材は、前記第１の滑り部材が接触して滑る方向の幅が、少なくとも、前記第１のパッドの打撃に基づいて前記第１の滑り部材が滑る距離以上であるように形成されているものであることを特徴とする請求項３又は４記載の電子打楽器。
【請求項６】
前記第１のパッド又は第２のパッドの直径方向の断面において取り付け面から突出する前記第１の滑り部材の略円弧部分が前記第２の滑り部材に当接又は前記第２の滑り部材を押圧したことを検出する第２のセンサを備えていることを特徴とする請求項３から５のいずれかに記載の電子打楽器。
【請求項７】
前記第２のセンサは、一方の面に第１の導電パターンが形成された第１の膜部材と、その第１の膜部材における第１の導電パターンが形成されている面に対向して配置される面に第２の導電パターンが形成された第２の膜部材と、その第２の膜部材と前記第１の膜部材との間に配置され、前記第１の膜部材又は前記第２の膜部材のいずれかが前記第１の滑り部材の取り付け面から突出する略円弧部分により押圧された場合に、前記第１の導電パターンと前記第２の導電パターンとの接触を可能とする貫通部を複数設けた絶縁体からなる絶縁膜部材とを備えていることを特徴とする請求項６記載の電子打楽器。
【請求項８】
一対の前記第２のセンサは、前記第１のパッド又は前記第２のパッドのうち、前記第２の滑り部材を備えているパッドにおける、前記第１のパッドと対向する側の面である裏面側において、直径方向の線分上における略中心に対して対称な位置に設けられていることを特徴とする請求項６又は７記載の電子打楽器。
【請求項９】
前記第１のパッドは、その略中心部に設けられた前記上下動する軸を挿通可能な第１の挿通孔と、前記打面の裏側である裏面に、前記第１の挿通孔における略中心部を通って横断する溝状の底部を有する凹部とを備え、
前記第１の固定手段は、前記凹部に対して遊嵌可能な回転止め部材と、その回転止め部材が前記凹部に遊嵌された場合に、前記第１のパッドを前記回転止め部材に対して押止する第１の押え部材と、前記第１の挿通孔に挿通された前記上下動する軸に対して前記第１のパッドを固定するパッド固定部材とを備え、
前記回転止め部材は、前記凹部における溝状の底部に対応する形状の頂上部を有する山部と、前記凹部に遊嵌させた場合に、前記第１の挿通孔に対応する位置に設けられている前記上下動する軸を挿通可能な第２の挿通孔とを備えると共に、前記第１の挿通孔を通過し得ない外周を有するものであることを特徴とする請求項１から８のいずれかに記載の電子打楽器。
【請求項１０】
前記回転止め部材に一体的に固定されると共に前記第２の挿通孔の前記山部側から突出し、外周の一部に雄ネジ部を有し、前記上下動する軸を挿通可能であると共に前記第１の挿通部に挿通可能であり、前記凹部に前記回転止め部材を遊嵌させた場合に、前記第１の挿通部から突出する長さを有する円筒状部材を備え、
前記第１の押え部材は、前記雄ネジ部に螺合可能な雌ネジ部を備え、前記雌ネジ部を前記雄ネジ部に螺合させて前記第１のパッドを押圧することを特徴とする請求項９記載の電子打楽器。
【請求項１１】
前記第１のセンサを装着すると共に前記第１のパッドに取り付けられる板状のセンサ取付部材を備え、
そのセンサ取付部材は、前記第１のセンサを装着した部分と前記第１のパッドの裏面とを離間させて取り付けていることを特徴とする請求項１から１０のいずれかに記載の電子打楽器。
【請求項１２】
前記第１のセンサを装着すると共に前記第１のパッドに取り付けられる板状のセンサ取付部材を備え、
そのセンサ取付部材は、前記第１のパッドに設けられた前記凹部における底部の溝の延長線により区切られる一方の領域に、前記第１のセンサを装着した部分と前記第１のパッドの裏面とを離間させて取り付けられていることを特徴とする請求項９又は１０記載の電子打楽器。
【請求項１３】
前記センサ取付部材の前記第１のパッドへの取り付けは、前記センサ取付部材又は前記第１のパッドのいずれか一方の外縁部近傍の一部の区間に該外縁部に沿って列設された係止孔と、他方の外縁部近傍の一部の区間に該外縁部に沿って列設された突起部とが嵌合されていることを特徴とする請求項１１又は１２記載の電子打楽器。
【請求項１４】
前記センサ取付部材において前記係止孔又は突起が列設された区間以外の区間の外縁部に、リブが立設されていることを特徴とする請求項１３記載の電子打楽器。
【請求項１５】
前記第１のセンサは、前記センサ取付部材における略中央部に取付られていることを特徴とする請求項１１から１４のいずれかに記載の電子打楽器。
【請求項１６】
前記第２のパッドは、その略中心部に略円形状に設けられると共に、その円の直径方向に外側に向けて突出する一対の溝部を有する前記上下動する軸を挿通可能な第３の挿通孔を備え、
前記第２の固定手段は、前記第２のパッドを載置する台座部材と、その台座部材に前記第２のパッドを配置した場合に、前記第２のパッドを前記台座部材に対して押止する第２の押え部材とを備え、
前記台座部材は、前記第２のパッドが載置される略平面の平面部と、その平面部から突起し、前記溝部に嵌合可能な一対の凸部と、その凸部と前記溝部とを嵌合させた場合に前記第３の挿通孔と連通する略円形状を有する前記上下動する軸を挿通可能な第４の挿通孔とを備えていることを特徴とする請求項１から１５のいずれかに記載の電子打楽器。
【請求項１７】
前記第２の押え部材が、前記第３の挿通孔を通過し得ない外周を有する平板状部と、その平板状部から突出し、前記台座部材の凸部に対して係止可能な係止部と、前記平板状部から突出し、連通する前記第３の挿通孔及び前記第４の挿通孔に挿通可能な外径を有すると共に、前記第３の挿通孔側から挿通した場合に、前記第４の挿通孔側から端部が突出する長さを有する円筒部と、その円筒部における前記変位センサ部から離れた側の端部に少なくとも形成される雄ネジ部と、その雄ネジ部に螺合可能な雌ネジ部とを備えていることを特徴とする請求項１６記載の電子打楽器。
【請求項１８】
押圧量に応じて電気抵抗値が変化するセンサシート部材と、略円錐状を有し、その広口側の端部を前記センサシート部材に当接させ、他方の端部側から前記第１のパッドの下降による変位に伴う押圧力が付与される場合に、その押圧力の増大に従って、前記センサシート部材への押圧量が増大するバネ部材とを有する第３のセンサと、
その第３センサを収容するケース部材とを備え、
そのケース部材の外側底面が、前記第２の押え部材における前記第３の挿通孔を通過し得ない外周を有する平板状部であることを特徴とする請求項１７記載の電子打楽器。
【請求項１９】
前記センサシート部材は、前記バネ部材の広口側の端部の略直径方向に対応する部分に細長く設けられ、前記バネ部材による押圧量を伝達する押圧部を有する押圧用膜部材と、前記押圧部に対応する位置に細長く配置された電気導電性を有する導電部を有し、その導電部が前記押圧用膜部材とは反対側の面に配置される第３の膜部材と、その第３の膜部材における前記導電部を有する側の面に対向して配置され、前記導電部に対応する位置に細長く配置された電極部とを備えていることを特徴とする請求項１８記載の電子打楽器。
【請求項２０】
前記円筒部に一体的に連通されると共に、前記センサシート部材の略中心及び前記バネ部材の上面視の略中心を貫通して設けられ、前記上下動する軸を挿通可能な円筒状の軸挿通筒を備えていることを特徴とする請求項１８又は１９記載の電子打楽器。
【請求項２１】
前記第２の固定部材は、前記台座部材に設けられた一対の第１の挟持部と、その挟持部材に対して着脱可能である弾性体の被挟持部を有する弾性体の腕部と、その腕部を前記上下動する軸と同軸上の軸に対して着脱可能とする第２の挟持部とを備えていることを特徴とする請求項１６から２０のいずれかに記載の電子打楽器。
【請求項２２】
前記第２のパッドは、略円形の皿状であり、前記第３の挿通孔において、前記第１のパッドと対向する面である裏面側における、前記第３の挿通孔の周囲に、少なくとも前記溝部を除いて立設され、該溝部から前記第３の挿通孔の円弧上を略９０度移動した２箇所を頂上とし、それぞれの頂上から両端に向けて下降傾斜する２つの壁部とを備えていることを特徴とする請求項２１記載の電子打楽器。
【請求項２３】
前記第２のパッドに設けられた２つの壁部におけるそれぞれ頂上を結ぶ方向と、前記第１のパッドに設けられた前記凹部における底部の溝の方向とが、略一致することを特徴とする請求項２２記載の電子打楽器。
【請求項２４】
前記第１のパッドは、その裏面側に、外周側から端子を嵌挿可能な開口部を有する第１の端子嵌挿孔を備え、
前記第２のパッドは、その裏面側における前記第１の端子嵌挿孔の開口部に対して対向する位置に、外周側から端子を嵌挿可能な開口部を有する第２の端子嵌挿孔を備えていることを特徴とする請求項２３記載の電子打楽器。
【請求項２５】
前記第１の端子嵌挿孔の開口部に嵌挿される略Ｌ字状の第１の端子部と、
その第１の端子部に連結され、可撓性を有し、電気信号を伝達可能なケーブルと、
そのケーブルの他端に連結され、前記第２の端子嵌挿孔の開口部に嵌挿される略Ｌ字型の第２の端子部とを備えていることを特徴とする請求項２４記載の電子打楽器。
【請求項２６】
前記第１のパッドおよび前記第２のパッドは、略円形の皿状であり、
前記滑り部材は、前記第１のパッド又は前記第２のパッドのいずれかのパッドに設けられ、該パッドの直径方向の断面において取り付け面から突出する略円弧部分を有する第１の滑り部材と、他方のパッドの外周に第１の滑り部材と対向する位置に設けられた平面状の第２の滑り部材と、前記第１のパッド又は第２のパッドの直径方向の断面において取り付け面から突出する前記第１の滑り部材の略円弧部分が前記第２の滑り部材に当接又は前記第２の滑り部材を押圧したことを検出する第２のセンサとを備え、
その第２のセンサが、前記第２のパッドに設けられた２つの壁部におけるそれぞれ頂上を結ぶ方向、又は、前記第１のパッドに設けられた前記凹部における底部の溝の方向の線分上において、略中心に対して対称な位置に設けられていることを特徴とする請求項２３から２５のいずれかに記載の電子打楽器。
【請求項２７】
前記第２のパッドは、その表面側に、前記第２のパッドに設けられた２つの壁部におけるそれぞれ頂上を結ぶ方向に略一致する方向において外周側から端子を嵌挿可能な第３の端子嵌挿孔を備えていることを特徴とする請求項２２から２６のいずれかに記載の電子打楽器。
【請求項２８】
弾性体の打面を有するパッドが軸に固定されている電子打楽器において、
前記パッドは、その略中心部に設けられた前記軸を挿通可能な第１の挿通孔と、前記打面の裏側である裏面に、前記第１の挿通孔における略中心部を通って横断する溝状の底部を有する凹部とを備え、
その凹部に対して遊嵌可能であり、該凹部における溝状の底部に対応する形状の頂上部を有する山部と、該凹部に遊嵌させた場合に、前記第１の挿通孔に対応する位置に設けられている前記軸を挿通可能な第２の挿通孔とを備えると共に、前記第１の挿通孔を通過し得ない外周を有する回転止め部材と、
その回転止め部材に一体的に固定されると共に前記第２の挿通孔の前記山部側から突出し、外周の一部に雄ネジ部を有し、前記軸を挿通可能であると共に前記第１の挿通部に挿通可能であり、前記凹部に前記回転止め部材を遊嵌させた場合に、前記第１の挿通部から突出する長さを有する円筒状部材と、
前記雄ネジ部に螺合可能な雌ネジ部を備え、前記回転止め部材が前記凹部に遊嵌された場合に、該雌ネジ部を前記雄ネジ部に螺合させて前記パッドを押圧し、前記パッドを前記回転止め部材に対して押止する押え部材と、
前記円筒状部材の先端に一体的に設けられ、前記第１の挿通孔に挿通された前記軸に対して前記パッドを固定するパッド固定部材とを備えていることを特徴とする電子打楽器。
【発明の詳細な説明】
【技術分野】
【０００１】
本発明は、電子打楽器に関し、特に、トップシンバルパッドを打撃した際に、そのトップシンバルパッドとボトムシンバルパッドとの滑合がスムーズに行なわれ得る電子打楽器に関する。
【背景技術】
【０００２】
フットペダルの踏み込み量に応じてトップシンバルパッドが上下動し、アコースティックなハイハットシンバルと同様の演奏感を模擬し得る電子ハイハットシンバルが、特開２００３−１６７５７４号公報（特許文献１）や特開２００３−１９５８５７号公報（特許文献２）に記載されている。
【０００３】
これらの特許文献１及び特許文献２に記載される電子ハイハットシンバルでは、トップシンバルパッドを打撃した場合に、トップシンバルパッドが揺動するように構成されている。
【特許文献１】特開２００３−１６７５７４号公報
【特許文献２】特開２００３−１９５８５７号公報
【発明の開示】
【発明が解決しようとする課題】
【０００４】
しかしながら、これらの特許文献に記載される電子ハイハットシンバルにおいて、ボトムシンバルパッドの方は、揺動しないようにスタンド上に固定されている。そのため、トップシンバルパッドが打撃により揺動しても、ボトムシンバルパッドは揺動せず、アコースティックなハイハットシンバルパッドの打撃感の模倣という点において不十分であった。
【０００５】
また、電子ハイハットシンバルを初めとする電子シンバルパッドの打面部は、一般的に、消音目的のためにゴムやエラストマーなどの弾性体で構成されている。上記特許文献１及び特許文献２においても、トップシンバルパッドは、その打面部が弾性体から形成されていると共に、ボトムシンバルパッドに対面するエッジ部もまた弾性体から形成されている。一方で、ボトムシンバルパッドもまた、トップシンバルパッドに対面するエッジ部が弾性体から形成されている。
【０００６】
よって、上記特許文献１及び特許文献２に記載される電子ハイハットシンバルの場合、ボトムシンバルパッドを揺動可能に固定し、揺動するトップシンバルパッドと接触しつつ揺動するように構成したとしても、トップシンバルパッドの打撃によって生じるトップシンバルパッドとボトムシンバルパッドとの滑合は、弾性体間の摩擦のために、いずれのパッドも金属製であるアコースティックなハイハットシンバルのようにスムーズに行なわれず、打撃感が不自然になるという問題点があった。
【０００７】
本発明は、上述した問題点を解決するためになされたものであり、トップシンバルパッドの打撃によって生じるトップシンバルパッドとボトムシンバルパッドとの滑合の際に、トップシンバルパッドがボトムシンバルパッド上をスムーズに滑り得、それによって、アコースティックなシンバルに相当する自然な打撃感が得られる電子打楽器を提供することを目的としている。
【課題を解決するための手段】
【０００８】
この目的を達成するために、請求項１記載の電子打楽器は、弾性体の打面を有する第１のパッドと、その第１のパッドを、所定の操作により上下動する軸に揺動自在に固定するための第１の固定手段と、前記第１のパッドに対向する第２のパッドと、その第２のパッドを、前記上下動する軸と同軸上の軸に、前記第１のパッドの揺動を伝達可能な位置に揺動自在に固定するための第２の固定手段と、前記第１のパッドの打撃を検出する第１のセンサとを備えている。
【０００９】
この請求項１記載の電子打楽器によれば、第１のパッドは、所定の操作により上下動する軸に第１の固定手段によって揺動自在に取り付けられており、一方で、第２のパッドは、第２の固定手段によって、該上下動する軸と同軸上に設けられた軸に揺動自在に取り付けられている。第１のパッドの打面は弾性体により形成され、この第１のパッドが打撃されると、揺動すると共に、第１のセンサによってその打撃が検出される。また、第１のパッドが揺動すると、第１のパッドの揺動が第２のパッドに伝達されて、第２のパッドもまた揺動する。
【００１０】
請求項２記載の電子打楽器は、請求項１記載の電子打楽器において、前記第１のパッド及び前記第２のパッドが互いに接触する部分に、互いのパッドの滑りを促進する滑り部材を備えている。
【００１１】
請求項３記載の電子打楽器は、請求項２記載の電子打楽器において、前記第１のパッドおよび前記第２のパッドは、略円形の皿状であり、前記滑り部材は、前記第１のパッド又は前記第２のパッドのいずれかのパッドに設けられ、該パッドの直径方向の断面において取り付け面から突出する略円弧部分を有する第１の滑り部材と、他方のパッドの外周に第１の滑り部材と対向する位置に設けられた平面状の第２の滑り部材とを備えている。
【００１２】
請求項４記載の電子打楽器は、請求項３記載の電子打楽器において、前記第２の滑り部材は、前記第１の滑り部材が接触して滑る方向の幅が、少なくとも、前記第１のパッドの打撃に基づいて前記第１の滑り部材が滑る距離以上であるように形成されているものである。
【００１３】
請求項５記載の電子打楽器は、請求項３又は４記載の電子打楽器において、前記第２の滑り部材は、前記第１の滑り部材が接触して滑る方向の幅が、少なくとも、前記第１のパッドの打撃に基づいて前記第１の滑り部材が滑る距離以上であるように形成されているものである。
【００１４】
請求項６記載の電子打楽器は、請求項３から５のいずれかに記載の電子楽器において、前記第１のパッド又は第２のパッドの直径方向の断面において取り付け面から突出する前記第１の滑り部材の略円弧部分が前記第２の滑り部材に当接又は前記第２の滑り部材を押圧したことを検出する第２のセンサを備えている。
【００１５】
請求項７記載の電子打楽器は、請求項６記載の電子打楽器において、前記第２のセンサは、一方の面に第１の導電パターンが形成された第１の膜部材と、その第１の膜部材における第１の導電パターンが形成されている面に対向して配置される面に第２の導電パターンが形成された第２の膜部材と、その第２の膜部材と前記第１の膜部材との間に配置され、前記第１の膜部材又は前記第２の膜部材のいずれかが前記第１の滑り部材の取り付け面から突出する略円弧部分により押圧された場合に、前記第１の導電パターンと前記第２の導電パターンとの接触を可能とする貫通部を複数設けた絶縁体からなる絶縁膜部材とを備えている。
【００１６】
この請求項７記載の電子打楽器によれば、請求項６記載の電子打楽器と同様に作用する上、第２のセンサは、第１の膜部材と絶縁膜部材と第２の膜部材とが、この順で配置される積層体であり、該第１の膜部材に形成されている第１の導電パターンと該第２の膜部材における該第１の導電パターンに対向する面に形成されている第２の導電パターンとが、静置持には該絶縁膜部材によって非接触とされている。該絶縁膜部材には、複数の貫通部が設けられており、該第１の膜部材又は該第２の膜部材のいずれかが第１の滑り部材の取り付け面から突出する略円弧部分により押圧されると、該貫通部からそれぞれ露出する該第１の導電パターンと該第２の導電パターンとが接触し得、それによって、電流の導通が可能となる。
【００１７】
請求項８記載の電子打楽器は、請求項６又は７記載の電子打楽器において、一対の前記第２のセンサは、前記第１のパッド又は前記第２のパッドのうち、前記第２の滑り部材を備えているパッドにおける、前記第１のパッドと対向する側の面である裏面側において、直径方向の線分上における略中心に対して対称な位置に設けられている。なお、「直径方向」とは、略円形における略中心を通る方向を意味する。
【００１８】
請求項９記載の電子打楽器は、請求項１から８記載の電子打楽器において、前記第１のパッドは、その略中心部に設けられた前記上下動する軸を挿通可能な第１の挿通孔と、前記打面の裏側である裏面に、前記第１の挿通孔における略中心部を通って横断する溝状の底部を有する凹部とを備え、前記第１の固定手段は、前記凹部に対して遊嵌可能な回転止め部材と、その回転止め部材が前記凹部に遊嵌された場合に、前記第１のパッドを前記回転止め部材に対して押止する第１の押え部材と、前記第１の挿通孔に挿通された前記上下動する軸に対して前記第１のパッドを固定するパッド固定部材とを備え、前記回転止め部材は、前記凹部における溝状の底部に対応する形状の頂上部を有する山部と、前記凹部に遊嵌させた場合に、前記第１の挿通孔に対応する位置に設けられている前記上下動する軸を挿通可能な第２の挿通孔とを備えると共に、前記第１の挿通孔を通過し得ない外周を有するものである。
【００１９】
この請求項９記載の電子打楽器によれば、請求項１から８のいずれかに記載の電子打楽器と同様に作用する上、第１のパッドの裏面に設けられた凹部に対して、回転止め部材が遊嵌されると、該凹部における底部の溝に、該回転止め部材の山部における、該溝に対応する形状を有する頂上部が配置され、さらに、第１の押え部材により該回転止め部材に対して該第１のパッドが押止される。よって、該第１のパッドの凹部に遊嵌された該回転止め部材は、その回転止め部材の山部における頂点部が支点となって、該第１のパッドが、天秤のように一方向に揺動させると共に、該頂点部を軸として回転することを防止する。
【００２０】
ここで、該溝は、該第１のパッドの略中心部に設けられた第１の挿通孔の略中心部を通って横断するように設けられていると共に、該第１の挿通孔と該回転止め部材に設けられた第２の挿通孔とが、該回転止め部材が該凹部に遊嵌された場合に互いに対応する位置に設けられている。よって、該回転止め部材が該凹部に遊嵌された場合には、該第１のパッドの略中心部に上下動する軸が挿通されることになる。該第１のパッドの略中心部に上下動する軸が挿通されると、パッド固定部材により、該上下動する軸に対して、該第１のパッドが固定されるので、該第１のパッドは、該上下動する軸を中心として回転することが防止される。
【００２１】
請求項１０記載の電子打楽器は、請求項９記載の電子打楽器において、前記回転止め部材に一体的に固定されると共に前記第２の挿通孔の前記山部側から突出し、外周の一部に雄ネジ部を有し、前記上下動する軸を挿通可能であると共に前記第１の挿通部に挿通可能であり、前記凹部に前記回転止め部材を遊嵌させた場合に、前記第１の挿通部から突出する長さを有する円筒状部材を備え、前記第１の押え部材は、前記雄ネジ部に螺合可能な雌ネジ部を備え、前記雌ネジ部を前記雄ネジ部に螺合させて前記第１のパッドを押圧する。
【００２２】
請求項１１記載の電子打楽器は、請求項１から１０のいずれかに記載の電子打楽器において、前記第１のセンサを装着すると共に前記第１のパッドに取り付けられる板状のセンサ取付部材を備え、そのセンサ取付部材は、前記第１のセンサを装着した部分と前記第１のパッドの裏面とを離間させて取り付けている。
【００２３】
請求項１２記載の電子打楽器は、請求項９又は１０記載の電子打楽器において、前記第１のセンサを装着すると共に前記第１のパッドに取り付けられる板状のセンサ取付部材を備え、そのセンサ取付部材は、前記第１のパッドに設けられた前記凹部における底部の溝の延長線により区切られる一方の領域に、前記第１のセンサを装着した部分と前記第１のパッドの裏面とを離間させて取り付けられている。
【００２４】
請求項１３記載の電子打楽器は、請求項１１又は１２記載の電子打楽器において、前記センサ取付部材の前記第１のパッドへの取り付けは、前記センサ取付部材又は前記第１のパッドのいずれか一方の外縁部近傍の一部の区間に該外縁部に沿って列設された係止孔と、他方の外縁部近傍の一部の区間に該外縁部に沿って列設された突起部とが嵌合されている。
【００２５】
請求項１４記載の電子打楽器は、請求項１３記載の電子打楽器において、前記センサ取付部材において前記係止孔又は突起が列設された区間以外の区間の外縁部に、リブが立設されている。
【００２６】
請求項１５記載の電子打楽器は、請求項１１から１４のいずれかに記載の電子打楽器において、前記第１のセンサは、前記センサ取付部材における略中央部に取付られている。
【００２７】
請求項１６記載の電子打楽器は、請求項１から１５のいずれかに記載の電子打楽器において、前記第２のパッドは、その略中心部に略円形状に設けられると共に、その円の直径方向に外側に向けて突出する一対の溝部を有する前記上下動する軸を挿通可能な第３の挿通孔を備え、前記第２の固定手段は、前記第２のパッドを載置する台座部材と、その台座部材に前記第２のパッドを配置した場合に、前記第２のパッドを前記台座部材に対して押止する第２の押え部材とを備え、前記台座部材は、前記第２のパッドが載置される略平面の平面部と、その平面部から突起し、前記溝部に嵌合可能な一対の凸部と、その凸部と前記溝部とを嵌合させた場合に前記第３の挿通孔と連通する略円形状を有する前記上下動する軸を挿通可能な第４の挿通孔とを備えている。
【００２８】
この請求項１６記載の電子打楽器によれば、請求項１から１５のいずれかに記載の電子打楽器と同様に作用する上、第２のパッドの略中心部に設けられた略円形状の第３の挿通孔の周囲に外側に向けて突出する一対の溝部に、第２の固定手段の一部である台座部材における平面部から突起する一対の凸部が嵌合されることによって、該第２のパッドが該台座部材上に配置されると、該台座部材に設けられている該上下動する軸を挿通可能な第４の挿通孔と同じく該上下動する軸を挿通可能な該第３の挿通孔とが連通され、さらに、第２の押え部材により、該第２のパッドが該台座部材に対して押止される。よって、第２のパッドを台座部材の周りを回転しないように載置することができる。
【００２９】
請求項１７記載の電子打楽器は、請求項１６記載の電子打楽器において、前記第２の押え部材が、前記第３の挿通孔を通過し得ない外周を有する平板状部と、その平板状部から突出し、前記台座部材の凸部に対して係止可能な係止部と、前記平板状部から突出し、連通する前記第３の挿通孔及び前記第４の挿通孔に挿通可能な外径を有すると共に、前記第３の挿通孔側から挿通した場合に、前記第４の挿通孔側から端部が突出する長さを有する円筒部と、その円筒部における前記変位センサ部から離れた側の端部に少なくとも形成される雄ネジ部と、その雄ネジ部に螺合可能な雌ネジ部とを備えている。
【００３０】
この請求項１７記載の電子打楽器によれば、請求項１６記載の電子打楽器と同様に作用する上、第２の押え部材に設けられた円筒部が、第３の挿通孔側から挿通されると、その第３の挿通孔に連通する第４の挿通孔側から雄ネジ部が形成されている端部が突出し、その端部に形成されている雄ネジ部に対して、雌ネジ部が螺合されることにより、第２の押え部材は、第２のパッドを台座部材に対して押止する。また、その際、第２の押え部材の係止部が台座部材の凸部に係止される。
【００３１】
請求項１８記載の電子打楽器は、請求項１７記載の電子打楽器において、押圧量に応じて電気抵抗値が変化するセンサシート部材と、略円錐状を有し、その広口側の端部を前記センサシート部材に当接させ、他方の端部側から前記第１のパッドの下降に伴う押圧力が付与される場合に、その押圧力の増大に従って、前記センサシート部材への押圧量が増大するバネ部材とを有する第３のセンサと、その第３センサを収容するケース部材とを備え、そのケース部材の外側底面が、前記第２の押え部材における前記第３の挿通孔を通過し得ない外周を有する平板状部である。
【００３２】
この請求項１８記載の電子打楽器によれば、請求項１７記載の電子打楽器と同様に作用する上、第３のセンサは、略円錐状のバネ部材の一端に、第１のパッドの下降に伴う押圧力が付与されると、押圧量に応じて電気抵抗値が変化するセンサシート部材に当接する他端である広口側の端部が該センサシート部材を押圧する。該広口側の端部による該センサシート部材への押圧量は、該第１のパッドの下降に伴う押圧力の増大に伴って、即ち、該第１のパッドの下降量に伴って増大する。なお、該第３のセンサを収容するするケース部材の外側底面が、第２の押え部材の一部を構成する。
【００３３】
請求項１９記載の電子打楽器は、請求項１８記載の電子打楽器において、前記センサシート部材は、前記バネ部材の広口側の端部の略直径方向に対応する部分に細長く設けられ、前記バネ部材による押圧量を伝達する押圧部を有する押圧用膜部材と、前記押圧部に対応する位置に細長く配置された電気導電性を有する導電部を有し、その導電部が前記押圧用膜部材とは反対側の面に配置される第３の膜部材と、その第３の膜部材における前記導電部を有する側の面に対向して、前記導電部に対応する位置に細長く配置される電極部とを備えている。
【００３４】
この請求項１９記載の電子打楽器によれば、請求項１８記載の電子打楽器と同様に作用する上、バネ部材の広口側の端部の略直径方向に対応する部分に細長く設けられている押圧用膜部材における押圧部は、該バネ部材が押圧されると、その押圧部に対応する位置に細長く配置される電気導電性を有する導電部を押圧する。ここで、該押圧部には、該バネ部材による押圧量が伝達されるので、その押圧量に応じて、該導電部とその導電部に対応する位置に細長く配置される電極部との接触状況が変化する。その結果として、該バネ部材による押圧量の変化、即ち、該第１のパッドの変位量を検出することが可能となる。
【００３５】
請求項２０記載の電子打楽器は、請求項１８又は１９のいずれかに記載の電子打楽器において、前記円筒部に一体的に連通されると共に、前記センサシート部材の略中心及び前記バネ部材の上面視の略中心を貫通して設けられ、前記上下動する軸を挿通可能な円筒状の軸挿通筒を備えている。
【００３６】
請求項２１記載の電子打楽器は、請求項１６から２０のいずれかに記載の電子打楽器において、前記第２の固定部材は、前記台座部材に設けられた一対の第１の挟持部と、その挟持部材に対して着脱可能である弾性体の被挟持部を有する弾性体の腕部と、その腕部を前記上下動する軸と同軸上の軸に対して着脱可能とする第２の挟持部とを備えている。
【００３７】
請求項２２記載の電子打楽器は、請求項２１記載の電子打楽器において、前記第２のパッドは、略円形の皿状であり、前記第３の挿通孔において、前記第１のパッドと対向する面である裏面側における、前記第３の挿通孔の周囲に、少なくとも前記溝部を除いて立設され、該溝部から前記第３の挿通孔の円弧上を略９０度移動した２箇所を頂上とし、それぞれの頂上から両端に向けて下降傾斜する２つの壁部とを備えている。
【００３８】
この請求項２２記載の電子打楽器によれば、請求項２１記載の電子打楽器と同様に作用する上、第２のパッドの裏面側における第３の挿通孔の周囲には、該溝部から該第３の挿通孔の円弧上を略９０度移動した２箇所を頂上とし、それぞれの頂上から両端に向けて下降傾斜するように設けられた２つの壁部により、第２のパッドの揺動方向は、該壁部により一方向、即ち、壁部の頂点を中心とする該壁部に沿った方向に規制される。
【００３９】
請求項２３記載の電子打楽器は、請求項２２記載の電子打楽器において、前記第２のパッドに設けられた２つの壁部におけるそれぞれ頂上を結ぶ方向と、前記第１のパッドに設けられた前記凹部における底部の溝の方向とが、略一致する。
【００４０】
この請求項２３記載の電子打楽器によれば、請求項２２記載の電子打楽器と同様に作用する上、前記第２のパッドに設けられた２つの壁部におけるそれぞれ頂上を結ぶ方向と、前記第１のパッドに設けられた前記凹部における底部の溝の方向とが、略一致しているので、第１のパッド上の打面が打撃されると、第１のパッドと第２のパッドとが略同一方向に振動する。
【００４１】
請求項２４記載の電子打楽器は、請求項２３記載の電子打楽器において、前記第１のパッドは、その裏面側に、外周側から端子を嵌挿可能な開口部を有する第１の端子嵌挿孔を備え、前記第２のパッドは、その裏面側における前記第１の端子嵌挿孔の開口部に対して対向する位置に、外周側から端子を嵌挿可能な開口部を有する第２の端子嵌挿孔を備えている。
【００４２】
請求項２５記載の電子打楽器は、請求項２４記載の電子打楽器において、前記第１の端子嵌挿孔の開口部に嵌挿される略Ｌ字状の第１の端子部と、その第１の端子部に連結され、可撓性を有し、電気信号を伝達可能なケーブルと、そのケーブルの他端に連結され、前記第２の端子嵌挿孔の開口部に嵌挿される略Ｌ字型の第２の端子部とを備えている。
【００４３】
請求項２６記載の電子打楽器は、請求項２３から２５のいずれかに記載の電子打楽器において、前記第１のパッドおよび前記第２のパッドは、略円形の皿状であり、前記滑り部材は、前記第１のパッド又は前記第２のパッドのいずれかのパッドに設けられ、該パッドの直径方向の断面において取り付け面から突出する略円弧部分を有する第１の滑り部材と、他方のパッドの外周に第１の滑り部材と対向する位置に設けられた平面状の第２の滑り部材と、前記第１のパッド又は第２のパッドの直径方向の断面において取り付け面から突出する前記第１の滑り部材の略円弧部分が前記第２の滑り部材に当接又は前記第２の滑り部材を押圧したことを検出する第２のセンサとを備え、その第２のセンサが、前記第２のパッドに設けられた２つの壁部におけるそれぞれ頂上を結ぶ方向、又は、前記第１のパッドに設けられた前記凹部における底部の溝の方向の線分上において、略中心に対して対称な位置に設けられている。
【００４４】
この請求項２６記載の電子打楽器によれば、請求項２３から２５のいずれかに記載の電子打楽器と同様に作用する上、第２のセンサは、第１のパッド及び第２のパッドの揺動方向に対して略直交する直径方向における略中心に対して対称な位置に設けられている。
【００４５】
請求項２７記載の電子打楽器は、請求項２２から２６のいずれかに記載の電子打楽器において、前記第２のパッドは、その表面側に、前記第２のパッドに設けられた２つの壁部におけるそれぞれ頂上を結ぶ方向に略一致する方向において外周側から端子を嵌挿可能な第３の端子嵌挿孔を備えている。
【００４６】
請求項２８記載の電子打楽器は、弾性体の打面を有するパッドが軸に固定されている電子打楽器において、前記パッドは、その略中心部に設けられた前記軸を挿通可能な第１の挿通孔と、前記打面の裏側である裏面に、前記第１の挿通孔における略中心部を通って横断する溝状の底部を有する凹部とを備え、その凹部に対して遊嵌可能であり、該凹部における溝状の底部に対応する形状の頂上部を有する山部と、該凹部に遊嵌させた場合に、前記第１の挿通孔に対応する位置に設けられている前記軸を挿通可能な第２の挿通孔とを備えると共に、前記第１の挿通孔を通過し得ない外周を有する回転止め部材と、その回転止め部材に一体的に固定されると共に前記第２の挿通孔の前記山部側から突出し、外周の一部に雄ネジ部を有し、前記軸を挿通可能であると共に前記第１の挿通部に挿通可能であり、前記凹部に前記回転止め部材を遊嵌させた場合に、前記第１の挿通部から突出する長さを有する円筒状部材と、前記雄ネジ部に螺合可能な雌ネジ部を備え、前記回転止め部材が前記凹部に遊嵌された場合に、該雌ネジ部を前記雄ネジ部に螺合させて前記パッドを押圧し、前記第パッドを前記回転止め部材に対して押止する押え部材と、前記円筒状部材の先端に一体的に設けられ、前記第１の挿通孔に挿通された前記軸に対して前記パッドを固定するパッド固定部材とを備えている。
【００４７】
この請求項２８記載の電子打楽器によれば、パッドにおける打面の裏側である裏面に設けられた凹部に対して、回転止め部材が遊嵌されると、該凹部における底部の溝に、該回転止め部材の山部における、該溝に対応する形状を有する頂上部が配置され、さらに、押え部材により該回転止め部材に対して該パッドが押止される。よって、該第１のパッドの凹部に遊嵌された該回転止め部材は、その回転止め部材の山部における頂点部が支点となって、該パッドが天秤のように一方向に揺動させると共に、該頂点部を軸として回転することを防止する。
【００４８】
ここで、該溝は、該パッドの略中心部に設けられた第１の挿通孔の略中心部を通って横断するように設けられていると共に、該第１の挿通孔と該回転止め部材に設けられた第２の挿通孔とが、該回転止め部材が該凹部に遊嵌された場合に互いに対応する位置に設けられている。よって、該回転止め部材が該凹部に遊嵌された場合には、該パッドの略中心部に上下動する軸が挿通されることになる。該パッドの略中心部に上下動する軸が挿通されると、パッド固定部材により、該上下動する軸に対して、該パッドが固定されるので、該第パッドは、該上下動する軸を中心として回転することが防止される。
【００４９】
また、前記凹部に前記回転止め部材を遊嵌させた場合に、該回転止め部材に一体的に固定された円筒状部材が該第１の挿通孔から突出するので、その円筒状部材の外周の一部に設けられている雄ネジ部と、雌ネジ部とを螺合させることにより、該パッドが該回転止め部材に対して押止される。
【発明の効果】
【００５０】
請求項１記載の電子打楽器によれば、第１のパッドの揺動に伴い、第２のパッドが揺動するので、アコースティックなハイハットシンバルと同様の演奏感を得ることができるという効果がある。
【００５１】
請求項２記載の電子打楽器によれば、請求項１記載の電子打楽器の奏する効果に加えて、第１のパッド及び第２のパッドが互いに接触する部分に、互いのパッドの滑りを促進する滑り部材を備えているので、第１のパッドが打撃されて第２のパッドと接触しつつ揺動する場合であっても、第１のパッドと第２のパッドとの滑合がスムーズに行なわれ、アコースティックなハイハットシンバルを打撃しているかのような自然な打撃感を提供できるという効果がある。
【００５２】
請求項３記載の電子打楽器によれば、請求項２記載の電子打楽器の奏する効果に加えて、第１のパッドおよび第２のパッドは、円形の皿状であり、滑り部材は、該第１のパッド又は該第２のパッドのいずれかのパッドの外周に設けられた直径方向の断面において取り付け面から突出する略円弧部分を有する第１の滑り部材と、他のパッドの外周に第１の滑り部材と対向する位置に設けられた平面状の第２の滑り部材とを備えるものであるので、第１の滑り部材と第２の滑り部材との接点は、第１のパッド又は第２のパッドのいずれかのパッドの直径方向の断面においては点であり、可能な限り小さな接触面積で接触させることができる。そのため、第１の滑り部材と第２の滑り部材との滑合がよりスムーズに行なわれるという効果がある。
【００５３】
請求項４記載の電子打楽器によれば、請求項３記載の電子打楽器の奏する効果に加えて、第１の滑り部材は、一方のパッドの中心を中心とする略円環状に配置されるチューブ状の部材であるので、第１のパッド及び第２のパッドが接触しつつ前後左右にどのように揺動した場合であっても、第１のパッドと第２のパッドとの滑合がスムーズに行なわれるという効果がある。
【００５４】
請求項５記載の電子楽器は、請求項３又は４記載の電子楽器の奏する効果に加えて、第２の滑り部材は、第１の滑り部材が接触して滑る方向の幅が、少なくとも、第１のパッドの打撃に基づいて第１の滑り部材が滑る距離以上であるように形成されている。よって、第１のパッドの打撃によっても、第１の滑り部材と第２の滑り部材との接触は十分に確保されることとなり、第１のパッドと第２のパッドとの滑合がスムーズに行なわれるという効果がある。
【００５５】
また、第１の滑り部材はチューブ状の部材からなるため、第２の滑り部材との接触部分は線状となる。よって、接触面積が適度に増大し、その結果として、圧力も適度に低下させることができる。従って、そのような構成を有する第１の滑り部材は、例えば、第２の滑り部材上に感圧センサが設けられている場合に、その感圧センサ上に適度な圧力を付与できる。
【００５６】
請求項６記載の電子打楽器によれば、請求項３から５のいずれかに記載の電子打楽器の奏する効果に加えて、第２の滑り部材には、前記第１の滑り部材の取り付け面から突出する略円弧部分に対向する位置に押圧を検出する第２のセンサが設けられている。よって、第２の滑り部材上に設けられている第２のセンサは、第１のパッド又は第２のパッドのいずれかのパッドの直径方向の断面において、第１の滑り部材の円弧により点で当接又は押圧されるため、可能な限り圧力が集中した状態で当接又は押圧されることとなる。従って、第２のセンサがより確実に動作できるという効果がある。
【００５７】
請求項７記載の電子打楽器によれば、請求項６記載の電子打楽器の奏する効果に加えて、第２のセンサにおいて、第１の膜部材に形成されている第１の導電パターンと、第２の膜部材に形成されている第２の導電パターンとは、絶縁体からなる絶縁膜部材に複数設けられた貫通部を介して接触可能となる。このように貫通部が複数形成されると、それらの貫通部と貫通部との間に残存する絶縁膜部材により、複数箇所で支持することとなる。その結果として、第１の膜部材又は第２の膜部材の撓みにより生じ得る第１の導電パターンと第２の導電パターンとの誤接触を防止できるという効果がある。
【００５８】
請求項８記載の電子打楽器によれば、請求項６又は７記載の電子打楽器の奏する効果に加えて、一対の第２のセンサが、第１のパッド又は第２のパッドのうち、第２の滑り部材を備えているパッドの裏面側において、直径方向の線分上における略中心に対して対称な位置に設けられているので、例えば、第１のパッドと第２のパッドとが閉じた状態を有効に検出させることが可能となる。
【００５９】
請求項９記載の電子打楽器によれば、請求項１から８のいずれかに記載の電子打楽器の奏する効果に加えて、第１のパッドの裏面に設けられた凹部に、回転止め部材が遊嵌されると、第１のパッドにおける凹部の底部の溝と回転止め部材における山部の頂上部との形状により、第１のパッドは、回転止め部材の周りを回転することなく、一方向に揺動する。よって、第１のパッド上における打面部分を演奏者に対向する半周側に限定できるという効果がある。
【００６０】
請求項１０記載の電子打楽器によれば、請求項９記載の電子打楽器の奏する効果に加えて、第１のパッドの裏面に設けられた凹部に回転止め部材が遊嵌された場合に、第１のパッドから突出する円筒状部材の雄ネジ部に対して、雌ネジ部が螺合されることにより、第１のパッドが回転止め部材に対して押止される。円筒状部材は、回転止め部材に一体的に固定されている上に、第１のパッドはネジ留め方式により押止されるので、第１のパッドを回転止め部材に対して適切な押止力で押止させることができるという効果がある。
【００６１】
請求項１１記載の電子打楽器によれば、請求項１から１０のいずれかに記載の電子打楽器の奏する効果に加えて、第１のセンサを装着した板状のセンサ取付部材により、第１のセンサと第１のパッドとを離間させて第１のパッドの裏面側に取り付けられている。よって、第１のセンサが直接打撃されない構造であるために、第１のセンサが、第１のパッドの打撃による振動の検出感度を均一化できるという効果がある。
【００６２】
請求項１２記載の電子打楽器によれば、請求項９又は１０記載の電子打楽器の奏する効果に加えて、第１のセンサを装着した板状のセンサ取付部材が、第１のパッドの裏面側であって、凹部における底部の溝の延長線により区切られる一方の領域に、第１のセンサと第１のパッドとを離間させて取り付けられている。第１のパッドは、凹部における底部の溝の存在により、第１のパッド上における打面部分を、凹部における底部の溝の延長線により区切られる一方の領域に限定できる。従って、センサ取付部材は、打面部分に対応する領域にのみ取り付ければよく、製造コストの減少を図ることができるという効果がある。
【００６３】
請求項１３記載の電子打楽器によれば、請求項１１又は１２記載の電子打楽器の奏する効果に加えて、センサ取付部材は、センサ取付部材又は第１のパッドのいずれか一方の外縁部近傍の一部の区間に列設された係止孔と、他方の外縁部近傍の一部の区間に列設された突起部との嵌合により、第１のパッドに取り付けられている。よって、第１のパッドの揺動によってもセンサ取付部材の脱落が抑制されるという効果がある。また、第１のパッドとセンサ取付部材を別々に製造することができるので、製造における成型工程などを容易にするという効果がある。
【００６４】
請求項１４記載の電子打楽器によれば、請求項１３記載の電子打楽器の奏する効果に加えて、センサ取付部材において、係止孔又は突起が列設された区間以外の区間の外縁部には、リブが立設されているので、センサ取付部材自体に剛性が付与される。その結果として、例えば、第１のセンサが振動センサである場合には、第１のパッドの打撃による振動が、振動センサに均一に伝達され、高精度の検出が実施されるという効果がある。
【００６５】
請求項１５記載の電子打楽器によれば、請求項１１から１４のいずれかに記載の電子打楽器の奏する効果に加えて、第１のセンサが、センサ取付部材の略中央部に取り付けられているので、例えば、第１のセンサが振動センサである場合には、第１のパッドの打撃による振動が均一に伝達され、また、上下動する軸からの距離も適度に離間されることになるので、上下動する軸の振動の影響を受け難くなる。従って、第１のパッドの打撃による振動を高精度に検出できるという効果がある。
【００６６】
請求項１６記載の電子打楽器によれば、請求項１から１５のいずれかに記載の電子打楽器の奏する効果に加えて、第２のパッドに設けられた第３の挿通孔の周囲に外側に向けて突出する一対の溝部に、台座部材に設けられた一対の凸部が嵌合された上で、第２のパッドが、押え部材により台座部材に対して押止されるので、第２のパッドが第３の挿通孔周りに回転することが抑制されるという効果がある。
【００６７】
請求項１７記載の電子打楽器によれば、請求項１６記載の電子打楽器の奏する効果に加えて、第２の押え部材の平板状部から突出する円筒部を第３の挿通孔側から挿通し、該平板上部から突出する係止部を台座部材の凸部に係止させた場合に、第４の挿通孔側から突出する雄ネジ部と、雌ネジ部とが螺合されることによって、第２のパッドが、第２の押え部材により台座部材に対して押止される。即ち、ネジ留め形式により第２のパッドが台座部材に対して押止されるので、演奏中の第２のパッドの揺動によっても、押止力が低減せず、第２のパッドが第３の挿通孔周りに回転することを確実に抑制できるという効果がある。また、第２の押え部材と台座部材を一体化することにより、第２のパッドが第３の挿通孔周りに回転することをより確実に抑制できるという効果もある。
【００６８】
請求項１８記載の電子打楽器によれば、請求項１７記載の電子打楽器の奏する効果に加えて、第１のパッドの変位量を検出するる第３のセンサを収容するケース部の外側底面が、第２の押え部材の平板状部を兼ねるので、部品数の減少によるコストの低減を図るという効果がある。
【００６９】
請求項１９記載の電子打楽器によれば、請求項１８記載の電子打楽器の奏する効果に加えて、バネ部材が第１のパッドにより押圧された量を、細長く設けられている押圧部によって伝達するので、バネ部材に付与された押圧量が集中して伝達される。よって、第１のパッドの下降に伴うバネ部材の押圧量の検出精度が向上するという効果がある。
【００７０】
請求項２０記載の電子打楽器によれば、請求項１８又は１９記載の電子打楽器の奏する効果に加えて、上下動する軸は、円筒状部材及び軸挿通筒を介して、第３のセンサ内を貫通するように構成されているので、第３のセンサによる押圧量の検出において、上下動する軸の撓み等によって生じ得る悪影響を抑制する。よって、第３のセンサの検出精度を高精度に保つという効果がある。
【００７１】
請求項２１記載の電子打楽器によれば、請求項１６から２０のいずれかに記載の電子打楽器の奏する効果に加えて、第２の挟持部により、上下動する軸と同軸上の軸に着脱可能に設けられた弾性体の腕部における弾性体の被挟持部が、台座部材に設けられた第１の挟持部により着脱可能に挟持されるので、第２のパッドを載置した台座部材を、一般的に市販されている軸に取り付けることができるという効果がある。また、腕部及び被挟持部が弾性体からなるので、可撓性や押圧による変形性を有する。よって、台座部材を取り付ける場合に、各種軸の形状に応じて腕部を湾曲させるなどの対応を取ることが可能であるので、一般的に市販される軸の種類に依存することなく、その軸に第２のパッドを取り付けることが可能となるという効果がある。
【００７２】
請求項２２記載の電子打楽器によれば、請求項２１記載の電子打楽器の奏する効果に加えて、第２のパッドの裏面側における第３の挿通孔の周囲には、該溝部から該第３の挿通孔の円弧上を略９０度移動した２箇所を頂上とし、それぞれの頂上から両端に向けて下降傾斜する形状を有する２つの壁部が設けられているので、第２のパッドの揺動方向が一方向に規制できるという効果がある。
【００７３】
請求項２３記載の電子打楽器によれば、請求項２２記載の電子打楽器の奏する効果に加えて、第２のパッドに設けられた２つの壁部におけるそれぞれ頂上を結ぶ方向と、前記第１のパッドに設けられた前記凹部における底部の溝の方向とが、略一致しているので、第１のパッド上の打面が打撃されると、第１のパッドと第２のパッドとを略同一方向に揺動できるという効果がある。
【００７４】
請求項２４記載の電子打楽器によれば、請求項２３記載の電子打楽器の奏する効果に加えて、第１のパッドの裏面側に設けられた第１の端子嵌挿孔と第２のパッドの裏面側に設けられた第２の端子嵌挿孔とが、対向する位置に設けられている。よって、例えば、第１及び第２の端子嵌挿孔に、第１のパッドに設けられた各種センサと第２のパッドに設けられた各種センサとをリンクさせるケーブルの端子を嵌挿した場合には、第１のパッドと第２のパッドが閉じた際において、そのケーブルを省スペースに収納できるという効果がある。
【００７５】
請求項２５記載の電子打楽器によれば、請求項２４記載の電子打楽器の奏する効果に加えて、ケーブルの両端に設けられているＬ字型の端子部が、２つの端子嵌挿孔に嵌挿されるので、上下動する軸に取り付けられた第１のパッドが頻繁に上下動した場合であっても、２つの端子部が、その動きに応じて、端子嵌挿孔に嵌挿されたまま回転できる。よって、第１のパッドの上下動に伴ってケーブルが引っ張られて、端子部が端子嵌挿孔からの脱落を抑制したり、ケーブル又は端子部への負担を軽減できるという効果がある。
【００７６】
請求項２６記載の電子打楽器によれば、請求項２３から２５のいずれかに記載の電子打楽器の奏する効果に加えて、第２のセンサが、第１のパッド及び第２のパッドの揺動方向に対して略直交する直径方向における略中心に対して対称な位置に設けられる、即ち、第２のセンサは、第１のパッド及び第２のパッドの揺動に対し、最も鈍感な位置に配置されるので、例えば、第２のセンサが第１のパッドと第２のパッドとが閉じた状態にあることを検出するためのセンサであった場合に、揺動による誤作動を防止できるという効果がある。
【００７７】
請求項２７記載の電子打楽器によれば、請求項２２から２６の電子打楽器の奏する効果に加えて、第２のパッドの表面側に、２つの壁部におけるそれぞれ頂上を結ぶ方向に略一致する方向、即ち、第２のパッドの揺動方向に対して略直交する直径方向に、外周側から端子を嵌挿可能な第３の端子嵌挿孔が設けられている。即ち、第３の端子嵌挿孔は、第２のパッドの揺動方向に対して略垂直な方向に設けられているので、ケーブルの端子が第３の端子嵌挿孔に嵌挿された場合に、第２のパッドの揺動による端子の脱落を防止できるという効果がある。
【００７８】
請求項２８記載の電子打楽器によれば、パッドの裏面に設けられた凹部に、回転止め部材が遊嵌されると、凹部の底部の溝と回転止め部材における山部の頂上部との形状によって、パッドは、回転止め部材の周りを回転することなく、一方向に揺動できるので、パッド上における打面部分を限定できるという効果がある。また、パッドの裏面に設けられた凹部に回転止め部材が遊嵌された場合に、パッドから突出する円筒状部材の雄ネジ部に対して、雌ネジ部が螺合されることにより、パッドが回転止め部材に対して押止される。円筒状部材は、回転止め部材に一体的に固定されている上に、パッドはネジ留め方式により押止されるので、パッドを回転止め部材に対して適切な押止力で押止させることができるという効果があると共に、パッドが揺動してもネジが緩まず、押止力の低下に伴うパッドの軸周りの回転を抑制できるという効果がある。
【発明を実施するための最良の形態】
【００７９】
以下、本発明の好ましい実施例について、添付図面を参照して説明する。図１は、本発明の電子打楽器である電子ハイハットシンバル１における、トップシンバルパッド部１００とボトムシンバルパッド部２００とが開状態（オープン状態）にある場合について、これらの２枚のパッドの中心を通る前後方向の切断線で切断した断面図である。なお、具体的には、図１の断面図を得るための切断線は、後述する図４における線Ａ’−Ａ’及び図６における線Ａ”−Ａ”を切断する線である。
【００８０】
また、図２は、トップシンバルパッド部１００とボトムシンバルパッド部２００とが閉状態（クローズ状態）にある場合について、図１と同じ切断線で切断した断面図である。
【００８１】
更に、図３は、トップシンバルパッド部１００とボトムシンバルパッド部２００とが閉状態（クローズ状態）にある場合について、これらの２枚のパッドの中心を通り、図１のの切断線と直交する左右方向の切断線で切断した断面図である。なお、具体的には、図３の断面図を得るための切断線は、後述する図４における線Ｂ’−Ｂ’及び図６における線Ｂ”−Ｂ”を切断する線である。
【００８２】
なお、本明細書中において、電子ハイハットシンバル１の「前」側とは、この電子ハイハットシンバル１の演奏者に対向し、上面視が略円形であるトップシンバルパッド部１００がその演奏者によって打撃される側を意味し、「後」側とは、トップシンバルパッド部１００の中心に対してその反対側を意味する。図１及び図２では、紙面右側が電子ハイハットシンバル１の「前」側、紙面左側が「後」側を示している。
【００８３】
また、本明細書中において、電子ハイハットシンバル１の「右」側とは、この電子ハイハットシンバル１の演奏者から見た場合の右側を意味し、「左」側とは、この電子ハイハットシンバル１の演奏者から見た場合の左側を意味する。図３では、紙面右側が電子ハイハットシンバル１の「右」側、紙面左側が「左」側を示している。
【００８４】
電子ハイハットシンバル１は、図１〜図３に示すように、演奏者がスティックなどにより打撃されるパッドであるトップシンバルパッド部１００と、そのトップシンバルパッド部１００の下方に対向して配置されたボトムシンバルパッド部２００と、このトップシンバルパッド部１００及びボトムシンバルパッド部２００を支持するスタンド部４００と、エクステンションロッド４２０にトップシンバルパッド部１００を固定する第１固定手段５００と、スタンド部４００の中空シャフト４１０にボトムシンバルパッド部２００を固定する第２固定手段６００などにより構成されている。
【００８５】
スタンド部４００は、一般的なハイハットシンバル用のスタンドと同様の構造を有し、例えば、図１に示すような、ボトムシンバルパッド部２００の設置高さを調整可能な中空シャフト４１０と、その中空シャフト４１０に挿通され、非図示の踏み込み式ペダルの操作に応じて上下動するエクステンションロッド４２０などを有すると共に、非図示の部材として、中空シャフト４１０の下方に連結され、スタンド部４００の起立を支持する脚部などを備えている。
【００８６】
中空シャフト４１０の上端には、ボトムシンバルパッド部２００を設置するためのフェルト保持部４１１と下部フェルトワッシャ４１２とが設けられており、下部フェルトワッシャ４１２の上側に、ボトムシンバルパッド部２００が、後述する第２固定手段６００により揺動可能に固定されている。一方で、エクステンションロッド４２０の所定の位置に、トップシンバルパッド部１００が、後述する第１固定手段５００により揺動可能に固定されている。なお、このようなトップシンバルパッド部１００及びボトムシンバルパッド部２００のスタンド部４００への固定様式については後述するものとする。
【００８７】
以下、上記図１〜図３に加えて、図４〜図５を参照して、トップシンバルパッド部１００の構造について説明する。図４は、トップシンバルパッド部１００の下面側の正面図であり、図５は、図１の断面図におけるエッジ滑りチューブ１４０及びエッジ滑りフィルム２１２を含む周辺部分の部分拡大図である。なお、本実施例中において、「トップシンバルパッド部１００の上面」及び「トップシンバルパッド部１００の下面」は、それぞれ、スタンド部４００に取り付けた状態における上面及び下面を示すものであり、以下においても同様の意味で使用するものとする。
【００８８】
トップシンバルパッド部１００は、上面側又は下面側の正面視が略円形状であり、上面側中央付近がドーム状に盛り上がったカップ部１００ａと、このトップシンバルパッド部１００の外周周縁であるエッジ部１００ｃと、このエッジ部１００ｃとカップ部１００ａとの間にあるボウ部１００ｂとを有している。
【００８９】
このトップシンバルパッド部１００は、図１に示すように、その骨格を形成する第１トップフレーム１０１と、この第１トップフレーム１０１を被覆するカバー１０３と、エクステンションロッド４２０を挿通する挿通孔１０２ｂを有する第２トップフレーム１０２と、振動センサ１１０（例えば、ピエゾ素子）を取り付けるための振動センサ取付フレーム１２０とで構成されている。
【００９０】
カバー１０３は、トップシンバルパッド部１００の上面側とエッジ部１００ｃなどの下面側の一部とを被覆するゴムやエラストマーなどの弾性体により形成されている。このカバー１０３によって、トップシンバル部１００の上面は、一段盛り上がったカップ部１００ａと、一様に平坦であるボウ部１００ｂ及びエッジ部１００ｃとを有する皿状の外観形状が形成される。なお、トップシンバルパッド部１００の上面側には、非図示の同心円状の凹凸加工、例えば、溝幅が２ｍｍ、ピッチが４ｍｍ（溝と溝の幅）、深さが０．１ｍｍｍの凹凸加工が施されている。
【００９１】
また、このカバー１０３の上面側部分には、ゴム用プライマー（反応性表面改質処理剤）などが、ディッピング、刷毛塗り、スプレーなどの方法によって塗布されることにより、表面改質処理が施されている。このような表面改質処理によって、トップシンバルパッド部１００を打撃するスティックが滑り易くなるようにすると共に、カバー１０３の耐摩耗性もまた向上する。従って、打撃時のスティックの滑りの感触が、金属製のアコースティックシンバルを打撃した時の感触に近くなると共に、長時間の打撃によるカバー１０３の摩耗を軽減し得る。このように、上面側がカバー１０３で被覆されたトップシンバルパッド部１００をスティックで打撃した場合、スティックの跳ね上がりは、アコースティックなハイハットシンバルを打撃した時のような自然な跳ね上がりとなる。
【００９２】
第１トップフレーム１０１は、例えば、アクリロニトリル−ブタジエン−スチレン（ＡＢＳ）樹脂やポリカーボネート樹脂などの硬質プラスチック材から成型されたフレームであり、その中央に開口部１０１ａを備えている、上面視が略円形の皿状を有している。
【００９３】
この第１トップフレーム１０１は、図１に示すように、開口部１０１ａの周囲に設けられた肩部１０１ｂと、肩部１０１ｂから外周に向かって延びる腕部１０１ｃとを有しており、トップシンバルパッド部１００の前側半周には、更に、腕部１０１ｃの外周側に設けられた段差１０１ｄと、段差１０１ｄによって一段下がった位置に外周部１０１ｅが設けられている。
【００９４】
トップシンバルパッド部１００の前側半周は、段差１０１ｄ及び外周部１０１ｅが形成されていることにより、外周部１０１ｅの上側を被覆するカバー１０３は、他の部分より厚くなる。よって、トップシンバルパッド部１００の打撃による第１トップフレーム１０１の振動は均一化され得、外周部１０１ｅの振動が抑制されることとなる。従って、トップシンバルパッド部１００を連打した場合にも、一打毎の打撃位置及び打撃力を正確に検出することができる。
【００９５】
また、カバー１０３は、第１トップフレーム１０１の外周部１０１ｅより、更に外側に延びて被覆されているので、エッジ部１００ｃが打撃された時に変形し易い。そのため、アコースティックなシンバルのエッジ部が打撃により変形して衝撃を吸収する感触を再現することができる。
【００９６】
一方で、第１トップフレーム１０１の後側半周には、前記のような段差１０１ｄ及び外周部１０１ｅは形成されておらず、前側半周より中心からの半径が短い。そのため、トップシンバルパッド部１００の後側半周では、図１に示すように、第１トップフレーム１０１の存在しない領域はカバー１０３を構成する弾性体によって主に形成されている。
【００９７】
このように、主に弾性体から形成されるトップシンバルパッド部１００の後側半周は、その内部に、上面視においてトップシンバルパッド部１００の外周に略平行な略円弧の形状で中空部１０３ａが形成されている。この中空部１０３ａの内部には、その中空部１０３ａに内包可能である上面視略円弧状を有する板状の金属製のウェイト（重錘）１３０が配置されている。このウェイト１３０は、トップシンバルパッド部１００の前方側に装着される振動センサ取り付けフレーム１２０などの部材との重量のバランスを取るために配置されている。
【００９８】
また、第１トップフレーム１０１の下面側（即ち、ボトムシンバルパッド部２００と対向する面側）には、腕部１０１ｃの外周より内側の位置に壁１０１ｆが設けられている。この壁１０１ｆに囲まれる略円形の領域に、振動センサ１１０を備えた振動センサ取り付けフレーム１２０や、トップシンバルパッド部１００に配設されている振動センサ１１０やエッジセンサ１６０により検出された信号を、ボトムシンバルパッド部２００側へリンク出力するためのステレオジャック１５０などの電子ハイハットシンバル１の楽音発生に関連する部材が配置される。
【００９９】
カバー１０３の下面側（即ち、ボトムシンバルパッド部２００と対向する面側）には、図４に示すように、上面視においてトップシンバルパッド部１００の外周に略平行となるように略円環状のエッジ滑りチューブ１４０が装着されている。このエッジ滑りチューブ１４０は、打撃によって揺動するトップシンバルパッド部１００と、トップシンバルパッド部１００との接触部分を介して、そのトップシンバルパッド部１００の揺動が伝達されて揺動するボトムシンバルパッド部２００とにおいて、それらの両パッド部１００，２００との滑合を促進するための部材である。なお、このエッジ滑りチューブ１４０を用いた滑り機構の詳細については後述する。
【０１００】
このエッジ滑りチューブ１４０は、滑り性及び耐摩耗性に優れた材質、特に、ナイロンやテフロン（登録商標）のような樹脂からなる幅方向断面（短手方向断面）が略円形状のチューブ材からなるものである。なお、エッジ滑りチューブ１４０の材質としては、製造コストの点からナイロン製であることが好ましい。
【０１０１】
また、エッジ滑りチューブ１４０が、その幅方向断面が略円形のチューブ材であることにより、このエッジ滑りチューブ１４０とボトムシンバルパッド部２００（具体的には、後述するエッジ滑りフィルム２１２）との接触面積が小さく抑えられるために、後述する滑り機構において、互いの滑性を有利にし得る。
【０１０２】
また、このエッジ滑りチューブ１４０は、電子ハイハットシンバル１が閉状態（クローズ状態）である場合に、トップシンバルパッド部１００の下面側において、ボトムシンバルパッド部２００のエッジ部上面２０１ｂに設けられたエッジ滑りフィルム２１２の幅方向略中央に対応する位置に配置されている。よって、打撃によってトップシンバルパッド部１００及びボトムシンバルパッド部２００が前後左右に揺動した場合に、このエッジ滑りチューブ１４０が後述する滑り機構においてエッジ滑りフィルム２１２上を滑る（移動する）距離を最大に確保することができる。
【０１０３】
なお、エッジ滑りチューブ１４０のトップシンバルパッド部１００への取り付けは、その下面側を被覆するカバー１０３における所定の位置に、トップシンバルパッド部１００と同心の略円環状の溝（非図示）を設け、その溝に、環状とされたエッジ滑りチューブ１４０を嵌合することによって行なわれる。
【０１０４】
エッジ滑りチューブ１４０は、トップシンバルパッド部１００の直径方向の断面において、カバー１０３の表面から一部円弧が突出した状態に取り付けられている（図５参照）。エッジ滑りチューブ１４０は、その大部分がカバー１０３に埋め込まれるように設けられているので、トップシンバルパッド部１００からのエッジ滑りチューブ１４０の脱落を防止し得る。なお、エッジ滑りチューブ１４０の少なくとも一部が、接着剤によってカバー１０３に接着されてもよい。
【０１０５】
第２トップフレーム１０２は、第１トップフレーム１０１の材質より軟質材、例えば、ゴムのような弾性体からなるフレームである。この第２トップフレーム１０２は、図３に示すように、第１トップフレーム１０１の中央の開口部１０１ａから上方に突き出ている頭部１０２ａと、開口部１０１ａの下面周縁を下側から保持する肩部１０２ｃと、第１トップフレーム１０１におけるボウ部１００ｂに対応する部分を下側から保持する腕部１０２ｄとを有している。
【０１０６】
また、この第２トップフレーム１０２には、図４に示すように、ステレオジャック１５０を収容するケース部１０２ｅと、振動センサ１１０から延びる配線を保護すると共に振動センサ取付フレーム１２０を補助的に係合する配線ホルダ１０２ｆも一体化されて設けられている。この第２トップフレーム１０２は、ネジ１０４によって第１トップフレーム１０１に取り付けられている。
【０１０７】
この第２トップフレーム１０２の頭部１０２ａの中央には、エクステンションロッド４２０を貫通させるための挿通孔１０２ｂが設けられている。また、第２トップフレーム１０２の頭部１０２ａの下面であって挿通孔１０２ｂの周囲には、トップシンバルパッド部１００の左右方向（図４における紙面左右方向）に溝状の底部として谷が延びる楔形にえぐられた形状の凹部１０２ｇが設けられている。この凹部１０２ｇに、後述する回転止め部材５０１が遊嵌される。凹部１０２ｇ及び回転止め部材５０１の双方の形状によって、トップシンバルパッド部１００は、打撃された時に、揺動するが回転することが防止される。なお、このトップシンバルパッド部１００の回転防止機構については後述する。
【０１０８】
上記のような回転防止機構により、トップシンバルパッド部１００の前側を打面として限定することが可能となるので、打撃時の振動を検出する振動センサ１１０を取り付けるための振動センサ取付フレーム１２０は、トップシンバルパッド部１００の全周を取り巻くように設ける必要はなく、前側半周における所定の領域に設ければ十分である。
【０１０９】
この振動センサ取付フレーム１２０は、図４に示すように、第１トップフレーム１０１の壁１０１ｆに沿った外周を有する板状部材である。この振動センサ取付フレーム１２０は、第１トップフレーム１０１の前側半周（図４における紙面上側）に設けられた肩部１０１ｇと、振動センサ取付フレームを挿入可能である程度に肩部１０１ｇから離間されて設けられた壁１０１ｆから突出する複数の係止部１０１ｈとの間に挿入される。そして、振動センサ取付フレーム１２０に列設される突起部１２１と、係止部１０１ｈのそれぞれに設けられている係止孔（非図示）とを嵌合させることによって、トップシンバルパッド部１００に係止されて取り付けられる。一方で、この振動センサ取付フレーム１２０における突起部１２１により係止されていない自由端側は、薄肉でない上にリブ１２２が立設されているので、剛性を有する。トップシンバルパッド部１００に、上記のように取り付けられた振動センサ取付フレーム１２０は、その外周の一部の区間が壁１０１ｆにに沿って係止される上に、残りの区間である自由端が剛性を有するので、トップシンバルパッド部１００が打撃されると、第１トップフレーム１０１と一体化して振動することができる。
【０１１０】
振動センサ１１０は、振動センサ取付フレーム１２０における第１トップフレーム１０１に対向する側の面の略中央に設けられている。上記のように、振動センサ取付フレーム１２０が第１トップフレーム１０１と一体化して振動するために、振動センサ取付フレーム１２０上に取り付けられている振動センサ１１０は、トップシンバルパッド部１００の打撃時の振動を精度良く検出することが可能である。よって、トップシンバルパッド部１００の打撃力及び打撃位置を精度良く検出することが可能となる。
【０１１１】
また、振動センサ１１０が、第１トップフレーム１０１上に直接取り付けるのではなく、振動センサ取付フレーム１２０を介し、第１トップフレーム１０１とは離間させて取り付けられているので、振動センサ１１０は、トップシンバルパッド部１００の打撃時に直接打撃されない。よって、トップシンバルパッド部１００の打面のどこを叩いても振動が均一化されて伝えられる。従って、トップシンバルパッド部１００の打撃時の振動の検出感度が均一化され得る。
【０１１２】
更に、振動センサ１１０は、振動センサ取付フレーム１２０によって第１トップフレーム１０１と離間されると共に、その振動センサ取付フレーム１２０の略中央部に設けられているので、上部シンバルパッド部１００の中心に挿通されるエクステンションロッド４２０からの距離が適度に離間される。よって、演奏時のペダル操作による開閉動作に伴うエクステンションロッド４２０からの衝撃や振動に対する感度が鈍感となるため、本来必要なトップシンバルパッド部１００の打撃による振動の検出感度をより向上させ得る。
【０１１３】
また、図１及び図４に示すように、トップシンバルパッド部１００の前側半周部分であって、第１トップフレーム１０１の外周部１０１ｅの上側には、エッジ部１００ｃの打撃を検出する感圧センサであるエッジセンサ１６０が配置されている。このエッジセンサ１６０は、前述したような、トップシンバルパッド部１００の回転が防止される構成により、トップシンバルパッド部１００の打面となる前側半周部分にのみ取り付ければよく、その分、製造コストを削減し得る。
【０１１４】
次に、このトップシンバルパッド部１００と、スタンド部４００とを固定する第１固定手段５００について説明する。この第１固定手段５００は、図１に示すように、第２トップフレーム１０２の頭部１０２ａの下側に配置される回転止め部材５０１と、第２トップフレーム１０２の頭部１０２ａの上側に配置されるクラッチトップ５０２、蝶ボルトネジであるクラッチスクリュー５０３、２枚のロックナット５０４、及び上部フェルトワッシャ５０５とから構成されている。
【０１１５】
回転止め部材５０１は、前述のように、頭部１０２ａの内側中心部に設けられている凹部１０２ｇに遊嵌される部材である。この回転止め部材５０１は、凹部１０２ｇに対応する形状の山部（先端部５０１ａ）を有し、その外径が挿通部１０２ｂより大きな円柱部分と先端部５０１ａの中央を通って延びるパイプ部分５０１ｄとからなる部材である。パイプ部５０１ｄは、その一端が、回転止め部材５０１の先端部５０１ａ側の略中央部に設けられている開口部５０１ｂから挿入され、図示しない螺合部により螺設される。さらに、イモネジ５０１ｃを用いることによって、パイプ部５０１ｄは、回転止め部材５０１に対して一体的に固定されている。
【０１１６】
回転止め部材５０１のパイプ部５０１ｄを、トップシンバルパッド部１００の略中央の挿通孔１０２ｂに挿通し、先端部５０１ａを凹部１０２ｇに遊嵌させると、先端部５０１ａの頂点部分が、凹部１０２ｇの底部に溝状に延びる谷と当接する。それによって、トップシンバルパッド部１００は、先端部５０１ａの頂点部分を支点とする天秤のように揺動可能となる。
【０１１７】
パイプ部５０１ｄが挿通部１０２ｂに挿通されると、トップシンバルパッド部１００の上側から突出する。このトップシンバルパッド部１００の上側から突出したパイプ部５０１ｄに、フェルト製のワッシャである上部フェルトワッシャ５０５、２枚のロックナット５０４、クラッチトップ５０２が、下からこの順で配置される。パイプ部５０１ｄには、２枚のロックナット５０４が配置される付近の領域に非図示のネジ溝が設けられており、ロックナット５０４をそのネジ溝に螺合させることにより、上部フェルトワッシャ５０５によるトップシンバルパッド部１００の押さえ具合を調節し得る。また、ロックナット５０４により、トップシンバルパッド部１００は、ロックナット５０４によるネジ留め方式によって回転止め部材５０１に対して押えられるので、演奏中のトップシンバルパッド部１００の揺動や振動によってもロックナット５０４は緩まず、その結果として、トップシンバルパッド部１００を押える力が低下し難い。特に、ロックナット５０４が２枚配置されることにより、より効果的にロックナット５０４の緩みを防止し得る。
【０１１８】
このように、上部フェルトワッシャ５０５がトップシンバルパッド部１００を上面側から回転留め部材５０１に対して適度に押さえつけるため、トップシンバルパッド１００の下面側に位置する回転止め部材５０１の先端部５０１ａの頂上部分が、凹部１０２ｇの谷に対して適度に密着して遊嵌される。この場合、先端部５０１ａの山の延びる方向及び凹部１０２ｇの谷の延びる方向がトップシンバルパッド部１００の左右方向に限定されているので、トップシンバルパッド部１００は、例えば、前側が打撃された場合に、上記のように天秤のように前後の一方向に揺動するが、回転部材５０１を中心としてトップシンバルパッド部１００が回転することは防止される。
【０１１９】
ロックナット５０４の上側に配設されるクラッチトップ５０２は、パイプ部５０１ｄの端部に、クラッチボルト５０２ａにより固定されているが、パイプ部５０１ｄの上端は、クラッチトップ５０２の上部に設けられているクラッチスクリュー５０３を螺合するためのネジ穴（非図示）より下となるように配置されている。
【０１２０】
上記のように、第１固定手段５００をトップシンバルパッド部１００に取り付けた後、エクステンションロッド４２０がパイプ部５０１ｄにトップシンバルパッド部１００の下側から挿通される。次いで、トップシンバルパッド部１００を適切な高さに配置した上で、クラッチスクリュー５０３を締め込むことにより、トップシンバルパッド部１００が、エクステンションロッド４２０上に、その軸周りに回転しないように固定される。
【０１２１】
従って、上記のように構成される第１固定手段５００により、トップシンバルパッド部１００がエクステンションロッド４２０に設置されると、トップシンバルパッド部１００は、打撃時において、エクステンションロッド４２０の軸周り又は回転留め部材５０１の周りを回転することなく揺動する。
【０１２２】
また、エクステンションロッド４２０は、パイプ部５０１ｄに挿通されているので、エクステンションロッド４２０などの揺れが直接トップシンバルパッド部１００に伝達されないので、振動センサ１１０が、エクステンションロッド４２０の揺れなどをノイズとして検出することを低減できる。
【０１２３】
次に、図１〜３、及び、図６及び図７を参照して、ボトムシンバルパッド部２００の構造について説明する。図６は、ボトムシンバルパッド部２００の上面側の正面図であり、図７は、ボトムシンバルパッド部２００を第２固定手段６００から分離した図である。なお、本実施例中において、「ボトムシンバルパッド部２００の上面」及び「ボトムシンバルパッド部２００の下面」は、それぞれ、スタンド部４００に取り付けた状態における上面及び下面を示すものであり、以下においても同様の意味で使用するものとする。
【０１２４】
ボトムシンバルパッド部２００は、図１に示すように、第１ボトムフレーム２０１と、この第１ボトムフレーム２０１の上面側中央部に隣接して設けられた第２ボトムフレーム２０２と、トップシンバルパッド部１００のステレオジャック１５０から出力され、プラグ１５１、ケーブル１５２、及び、プラグ２５１を介して伝達される振動センサ１１０やエッジセンサ１６０の信号を入力するためのステレオジャック２５０と、このステレオジャック２５０から入力された各センサの信号やボトムシンバルパッド部２００に設けられているクローズスイッチ２２０により検出された信号や変位センサ６１０からの信号を外部へ出力するため出力用ジャック２４０などを備えている。なお、図２及び図１０については、図面を簡略化するために、ケーブル１５２の図示を省略している。
【０１２５】
第１ボトムフレーム２０１は、硬質プラスチック（ＡＢＳ樹脂やポリカーボネート樹脂など）からなり、トップシンバルパッド部１００と同様に、上面側又は下面側の正面視が略円形状であり、下面側の中央付近がドーム状に盛り上がった皿状の形状を有している。
【０１２６】
第１ボトムフレーム２０１の中央には、開口部２０１ａが設けられている。この開口部２０１ａは、第２ボトムフレーム２０２に設けられる２つの溝部２０２ｂに対応する２つの溝部を有する略円形状に形成されている。
【０１２７】
図１及び図５に示すように、第１ボトムフレーム２０１のエッジ部上面２０１ｂには、その周囲に沿った円環状の凹部を有し、その凹部の底面に、鉄板やアルミ板などの金属板２１０が、図１に示すように、ネジ２１３によって第１ボトムフレーム２０１に固定されている。なお、特に図示していないが、このネジ２１３は、第１ボトムフレーム２０１上に円環状に配設された金属板２１０の周囲に均等に適切な数（例えば、１０程度）だけ配置されている。
【０１２８】
この金属板２１０の上側には、ゴムなどの弾力性を有する素材からなるクッションシート材２１１が積層され、このクッションシート材２１１の上側には、更に、エッジ滑りフィルム２１２が積層されている。ここで、エッジ滑りフィルム２１２は、エッジ部上面２０１ｂとほぼ一体の平面となるように配設されている。また、これらのクッション材２１１とエッジ滑りフィルム２１２との積層部分は、後述するクローズスイッチ２２０から第２ボトムフレーム２０２内に収納されている出力用ジャック２４０へ延びる配線（非図示）を保護するために、この配線が通る２つの配線ホルダ２０１ｃ上を覆うように延びている。
【０１２９】
エッジ滑りフィルム２１２は、トップシンバルパッド部１００の打撃に基づいて、トップシンバルパッド部１００とボトムシンバルパッド部２００とが接触しつつ揺動する際に、その揺動をスムーズに行なわせるための部材である。このエッジ滑りフィルム２１２は、良好な滑り性を有すると共に適度な強度を有する材質、例えば、ポリエステルやテフロン（登録商標）のような樹脂からなる。そのため、トップシンバルパッド部１００が打撃された場合に、トップシンバルパッド部１００に設けられたエッジ滑りチューブ１４０は、このエッジ滑りフィルム２１２上をスムーズに滑り得、その結果として、トップシンバルパッド部１００とボトムシンバルパッド部２００とは、接触しつつスムーズに揺動する。なお、このエッジ滑りフィルム２１２とエッジ滑りチューブ１４０とから構成される滑り機構については後述する。
【０１３０】
また、金属板２１０とクッション材２１１との間には、図６及び図７に示すようなボトムシンバルパッド部２００の左右方向には、膜状の感圧センサであるクローズスイッチ２２０が１枚ずつ設けられている。なお、図７では、一対のクローズスイッチ２２０の一方（ボトムシンバルパッド部２００の左側に配置されているクローズスイッチ２２０）を含む周辺領域について、クローズスイッチ２００を覆うクッションシート材２１１及びエッジ滑りフィルム２１２を一部省略し、クローズスイッチ２２０を露出させて示している。また、図３の断面図において、金属板２１０とクッションシート材２１１との間にクローズスイッチ２２０が図示されるべきであるが、図面の煩雑化を防ぐために、その図示を省略している。
【０１３１】
クローズスイッチ２２０は、多層構造を有する膜状の感圧センサであり、電子ハイハットシンバル１の閉状態（クローズ状態）を検出するセンサである。スタンド部４００の下方に設けられている非図示のペダルの踏み込みによりトップシンバルパッド部１００とボトムシンバルパッド部２００とが接触して閉状態（クローズ状態）とされた場合に、図３に示すように、クローズスイッチ２２０は、トップシンバルパッド部１００に設けられているエッジ滑りチューブ１４０による押圧を検出し、検出により発生される信号が非図示の配線を介して、出力用ジャック２４０へ伝達される。
【０１３２】
このクローズスイッチ２２０は、トップシンバルパッド部１００のエッジ滑りチューブ１４０により押圧されるが、その際、クローズスイッチ２２０が金属板２１０を背にして押圧されるため、押圧の検出感度を良好なものとする。
【０１３３】
また、弾性を有するクッション材２１１を介してクローズスイッチ２２０が押圧されるので、エッジ滑りチューブ１４０による押圧力は適度に分散してクローズスイッチ２２０へ伝達される。よって、この構造により、クローズスイッチ２２０の検出感度を向上させ得る。
【０１３４】
トップシンバルパッド部１００の打撃時には、トップシンバルパッド部１００が揺動するために、いずれか一方側のクローズスイッチ２２０が押圧される状態はしばしば生じ得るので、閉状態（クローズ状態）を検出する上で、上記のように、ボトムシンバルパッド部２００の左右方向に一対のクローズスイッチ２２０を設け、これらのクローズスイッチ２２０が同時に押圧されたか否かを検出するようすることは有効である。即ち、閉状態（クローズ状態）においてトップシンバルパッド部１００の打面（前側）を打撃した場合であっても、エッジ滑りチューブ１４０による押圧力は、打撃による前後方向中心の揺動の影響を比較的受けることなく安定しているので、閉状態（クローズ状態）を確実に検出することができる。
【０１３５】
ここで、図８を参照して、このクローズスイッチ２２０について説明する。図８は、クローズスイッチ２２０の構造を説明する図である。図８（ａ）は、クローズスイッチ２２０を部分的に分解した図であり、図８（ｂ）は、図８（ａ）におけるＣ−Ｃ線の断面を、その断面方向から見た図である。
【０１３６】
クローズスイッチ２２０は、第１ベースフィルム２２１と、スペーサフィルム２２２ｒと、第２ベースフィルム２２３との３層からなる積層体である。具体的には、図８（ａ）に示すように、クッションシート材２１１に隣接する側の層である第１ベースフィルム２２１と、金属板２１０に隣接する側の層である第２ベースフィルム２２３と、これらのフィルム２２１，２２３の間に介在して配置されるスペーサフィルム２２２とから構成されている。なお、図８（ａ）の分解図では、紙面上方側には、第１ベースフィルム２２１が図示され、一方で、紙面下方側には、第２ベースフィルム２２３と、その上側（第１ベースフィルム２２１側）に積層されたスペーサフィルム２２２とから構成される部分が図示されている。
【０１３７】
第１ベースフィルム２２１は、絶縁性を有する樹脂製の薄膜であり、その片面には第１の導電パターン２２１ａが印刷されている。なお、図８（ａ）における第１の導電パターン２２１ａは、導電パターンの印刷されている領域を示すものであり、第１の導電パターン２２１ａの詳細な配線パターンについては、本発明の要旨ではないので図示しないと共にその説明を省略する。
【０１３８】
第２ベースフィルム２２３は、絶縁性を有する樹脂製の薄膜であり、その片面には第２の導電パターン２２３ａが印刷されている。なお、図８（ａ）における第１の導電パターン２２３ａは、導電パターンの印刷されている領域をハッチングの領域（一部、スペーサフィルムにより隠れている部分は点線）で示すものであり、第１の導電パターン２２３ａの詳細な配線パターンについては、本発明の要旨ではないので図示しないと共にその説明を省略する。
【０１３９】
クローズスイッチ２２０において、第１ベースフィルム２２１の第１の導電パターン２２１ａと、第２ベースフィルム２２３の第２の導電パターン２２３ａとは、互いに対向して設けられており、第１の導電パターン２２１ａと第２の導電パターン２２３ａとが接触した場合に電流が導通し、その電流によってスイッチＯＮが検出される。
【０１４０】
スペーサフィルム２２２は、絶縁性を有する樹脂製の薄膜であり、図８（ａ）に示すように、クローズスイッチ２２０において、第１の導電パターン２２１ａと第２の導電パターン２２３ａとの間に相当する部分に、長手方向に連設される複数の貫通孔２２２ａが設けられている。
【０１４１】
これらの複数の貫通孔２２２ａにより、第１の導電パターン２２１ａと第２の導電パターン２２３ａとが互いに露出されるが、図８（ｂ）に示すように、隣接する貫通孔２２２ａの間に残存するスペーサフィルム２２２によって、静置時には、第１の導電パターン２２１ａと第２の導電パターン２２３ａとが離間される。これによって、トップシンバルパッド部１００とボトムシンバルパッド部２００とが開状態（オープン状態）である場合には、第１の導電パターン２２１ａと第２の導電パターン２２３ａとが離間されているので、電流が流れない。一方で、トップシンバルパッド部１００とボトムシンバルパッド部２００とが閉状態（クローズ状態）となり、エッジ滑りチューブ１４０がエッジ滑りフィルム２１２に当接又は押圧した結果として、その押圧によって第１のベースフィルム２２１が撓み、第１の導電パターン２２１ａと第２の導電パターン２２３ａとが接触し、電流が導通される。
【０１４２】
また、スペーサフィルム２２２には、貫通孔２２２ａが複数設けられることによって、図８（ａ）及び（ｂ）に示すように、第１の導電パターン２２１ａと第２の導電パターン２２３ａとを離間させつつ支持するスペーサ部分が複数形成されることになる。よって、経年変化により生じ得るクッションシート材２１１の劣化による撓みによって、第１の導電パターン２２１ａと第２の導電パターン２２３ａとが接触し、その結果としてクローズスイッチ２２０が誤作動することを抑制することができる。
【０１４３】
クローズスイッチ２２０の長手方向両端には、第１ベースフィルム２２１、スペーサフィルム２２２、第２ベースフィルム２２３を貫通する位置決め孔２２０ａが設けられている。この位置決め孔２２０ａが、第１ボトムフレーム２０１の所定の位置に設けられ、金属板２１０を貫通する位置決め用の突起（非図示）に係合されて、クローズスイッチ２２０が所定の位置に配置される。位置決め孔２２０ａに基づいて位置決めされたクローズスイッチ２２０は、両面テープ又は接着剤などにより金属板２１０上に固定される。
【０１４４】
再度、図１〜３、及び、図６及び図７を参照して、ボトムシンバルパッド部２００の構造について説明する。第２ボトムフレーム２０２は、軟質材、例えば、ゴムのような弾性体からなるフレームである。この第２ボトムフレーム２０２は、図３に示すように、第１ボトムフレーム２０１の開口部２０１ａの内周側に沿う形状の開口部２０２ａと、第１ボトムフレーム２０１のドーム部２０１ｄの内側（図３における紙面上側の面）に沿う形状の底面を有する凹部２０２ｃを有しており、また、図６に示すように、ボトムシンバルパッド部２００の左右方向に２つの出力用ジャック２４０を収容するためのケース部２０２ｄと、同じく後側方向に、トップシンバルパッド部１００からの信号を入力するためのステレオジャック２５０を収容するためのケース部２０２ｅとを備えている。この第２ボトムフレーム２０２は、図１及び図６に示すように、ネジ２０４によって第１ボトムフレーム２０１に固定されている。
【０１４５】
開口部２０２ａは、上記のように、第１ボトムフレーム２０１の開口部２０１ａの内周側に沿う円形状を有し、図６に示すように、略直径方向に対向する位置に、２つの溝部２０２ｂを有する略円形状に開口している。この開口部２０２ａに、下方から、スタンド部４００の中空シャフト４１０の軸周りに回転不能に固定されたボトムアンカ６０１の凸部６０１ｂが嵌合される。一方、開口部２０２ａの上方から、変位センサ６１０の凸部６１１ａが嵌合される。その際、変位センサ６１０の凸部６１１ｂに設けられた突起部６１１ｄが、ボトムアンカ６０１の凸部６０１ｂに設けられた係止孔６０１ｅに挿入されると、凸部６０１ｂと凸部６１１ａとが、開口部２０２ａの内周側において連結される。
【０１４６】
これらの凸部６０１ｂ及び凸部６１１ａは、いずれも、後述するように、その周囲から突出する溝部２０２ｂを有する開口部２０２ａと略同一の形状を有しているので、ボトムシンバルパッド部２００は、スタンド部４００の軸周りに回転不能に固定されるボトムアンカ６０１、及び、変位センサ６１０に対して回転不能とされる。よって、この開口部２０２ａと凸部６０１ｂ及び凸部６１１ａとの互いの形状によって、ボトムシンバルパッド部２００において、トップシンバルパッド部１００の揺動に伴う揺動が生じた場合にも、スタンド部４００の軸周りに回転することが禁止される。従って、ボトムシンバルパッド部２００に配置されるセンサ類を限定した位置に配置することができるので、本実施例のように一対のクローズスイッチ２２０の配置を、最も好ましい位置であるボトムシンバルパッド部２００の左右方向に限定できる。
【０１４７】
凹部２０２ｃには、図７に示すように、開口部２０２ａにおいて、ボトムシンバルパッド部２００の前後方向に相当する直径方向に設けられている溝部２０２ｂを除く周囲に２つの突起部２０２ｆが設けられている。この突起部２０２ｆは、いずれもその略中央を頂上とし、その頂上から両端に向けて下降傾斜する形状を有している。即ち、突起部２０２ｆは、ボトムシンバルパッド部２００の左右方向に相当する部分が高くなるように形成されている。これによって、後述するように、第２固定手段６００により、ボトムシンバルパッド部２００を前後に揺動可能に固定することが可能となる。
【０１４８】
また、２つの出力用ジャック２４０は、それぞれの開口部２４０ａが、図３に示すように、ボトムシンバルパッド部２００の左右方向を向き、第１ボトムフレーム２０１の外側へ露出するように配置されている。２つの出力用ジャック２４０の開口部２４０ａが左右方向へ向けられているので、それらの出力用ジャック２４０ａに接続された配線コードが絡まり難く、配線コードのプラグが出力用ジャック２４０ａから脱落することを防止し得る。また、ボトムシンバルパッド部２００は、上記のようにその揺動が前後方向に規制されているので、開口部２４０ａが左右方向を向く出力用ジャック２４０に接続された配線コードは揺動による影響を受け難く、その結果として、配線コードのプラグが出力用ジャック２４０から脱落し難い。
【０１４９】
次に、図７、及び、図９〜図１０を参照して、ボトムシンバルパッド部２００とスタンド部４００とを固定する第２固定手段６００について説明する。図９は、第２固定手段６００を説明する図であり、図１０は、図３の断面図における第２固定手段６００の部分を拡大した部分拡大断面図である。
【０１５０】
この第２固定手段６００は、図７に示すように、第１ボトムフレーム２０１を下側から支持するボトムアンカ６０１と、第１ボトムフレーム２０１をボトムアンカ６０１に対して上側から押さえ込む変位センサ６１０と、ボトムアンカ６０１をスタンド部４００へ固定するクランプ部６２０とから構成されている。
【０１５１】
ボトムアンカ６０１は、中央に形成される開口部６０１ａと、第２ボトムフレーム２０２の溝部２０２ｂに嵌合する２つの凸部６０１ｂと、その凸部６０１ｂに形成される係止孔６０１ｅと、その凸部６０１ｂが形成された面の反対側に形成される凹部６０１ｃと、側面に形成されたフック部６０１ｄとを有するアルミダイカストなどの金属部品である。このボトムアンカ６０１の上部には、ボトムシンバルパッド部２００に対するクッション材６０２として、ゴムシートなどの弾性体シートが配設される。
【０１５２】
変位センサ６１０は、トップシンバルパッド部１００の変位量を検出するためのセンサであり、そのセンサ構造については後述する。この変位センサ６１０のケース部６１１の外周の下側（底面）は略平面であり、その略平面には凸部６１１ａが設けられている。この凸部６１１ａは、第２ボトムフレームにおける、溝部２０２ｂを有する開口部２０２ａに嵌合する形状であると共に、ボトムアンカ６０１の係止孔６０１ｅに挿入するための突起部６１１ｄ（図１参照）を有している。また、凸部６１１ａには、変位センサ６１０を上下に貫通する貫通孔の一部である開口部６１１ｃが設けられている。
【０１５３】
更に、変位センサ６１０には、図１０に示すように、変位センサ６１０の中心を上下に貫通するように配置されたスリーブ６１２が設けられており、ネジ部６１２ａが変位センサ６１０から下方側に突出している。
【０１５４】
図７に示すように、ボトムアンカ６０１と変位センサ６１０との間に、ボトムシンバルパッド部２００を配置し、ボトムアンカ６０１の凸部６０１ｂ及び変位センサ６１０の凸部６１１ａの形状を、ボトムシンバルパッド２００の溝部２０２ｂを有する開口部２０２ａの形状に合わせた上で、変位センサ６１０の突起部６１１ｂをボトムアンカ６０１側の係止孔６０１ｅに嵌合させる。そして、変位センサ６１０から、ボトムシンバルパッド部２００及びボトムアンカ６０１を貫通されるネジ部６１２ａには、ボトムアンカ６０１の凹部６０１ｃの内部において、ナット６０５が螺合され、それによって、ボトムシンバルパッド部２００が第２固定手段６００に固定される。
【０１５５】
この第２固定手段６００においては、２つの溝部２０２ｂを有する開口部２０２ａの形状に、ボトムアンカ６０１の凸部６０１ｂ及び変位センサ６１０の凸部６１１ａの形状を嵌合させているので、ボトムシンバルパッド部２００は、この第２固定手段６００の周りに回転不能に固定される。
【０１５６】
先に説明したように、ボトムシンバルパッド部２００の第２ボトムフレーム２０２に設けられている２つの突起部２０２ｆは、それぞれ、ボトムシンバルパッド部２００の左又は右方向に相当する部分が高く、突起部２０２ｆの両端に向けて下降傾斜するように形成されている。よって、変位センサ６１０のケース部６１１の外周底面に当接しつつ、その形状に沿ってボトムシンバルパッド部２００は前後方向に揺動が規制される。従って、上記のような第２固定手段６００による固定様式により、ボトムシンバルパッド部２００は前後にのみ揺動可能にスタンド部４００に固定される。
【０１５７】
上記のように、ボトムシンバルパッド部２００の揺動方向が前後方向に規制されるので、本実施例のようにボトムシンバルパッド部２００の左右方向に配置された一対のクローズスイッチ２２０は、打撃による前後方向中心の揺動の影響を受け難く、閉状態（クローズ状態）を高精度に検出することができる。
【０１５８】
変位センサ６１０は、後述するセンサとして機能するだけでなく、ケース部６１１よって、第２固定手段６００の一部として機能する。よって、電子ハイハットシンバル１の部品数を少なくすることができ、それによって、製造コストを低減することができる。
【０１５９】
ボトムアンカ６０１と変位センサ６１０との間にボトムシンバルパッド部２００が配置されると、図９に示すように、ボトムアンカ６０１が、クランプ部６２０によってスタンド部４００に固定される。このクランプ部６２０は、エラストマーなどの弾性体からなるクランプ６２１及びアーム６２２と、クランプホルダ６２３と、そのクランプホルダ６２３の自由端を留めるネジ６２４とを備えるものである。
【０１６０】
このクランプ部６２０は、クランプ６２１により中空シャフト４１０を挟み、その外側から更にクランプホルダ６２３で挟み、クランプホルダ６２３の両方の自由端をネジ６２４で留めることにより、クランプ部６２０が中空シャフト４１０上に回転不能に固定される。
【０１６１】
一方で、ボトムシンバルパッド部２００が載置されたボトムアンカ６０１を、フェルト製のワッシャである下部フェルトワッシャ４１２上に配置し、ボトムアンカ６０１の側面に設けられているフック部６０１ｄに、アーム６２２の嵌合部６２２ａを嵌合する。嵌合部６２２ａは、クランプ６２０の本体部分の径及びフック部６０１ｄの内径より僅かに大きい径を有しているので、弾性体である嵌合部６２２ａは、押圧により変形されてフック部６０１ｄに嵌合される。そのため、嵌合部６２２ａは、フック部６０１ｄから脱落し難い。
【０１６２】
また、クランプ部６２０は、上記のように弾性体からなるために可撓性を有し、市販の各種スタンドにおいて下部フェルトワッシャ４１２を保持するフェルト保持部４１１の形状が様々である場合でも、アーム６２２が、その形状に応じて適宜湾曲するので取り付け可能となる。従って、ボトムシンバルパッド部２００を、市販のスタンド部４００に設置することが可能となる。
【０１６３】
次に、第２固定手段６００の一部である変位センサ６１０のセンサ部分の構造について説明する。変位センサ６１０は、図１０に示すように、上面が開口された中空の円筒であるケース部６１１と、そのケース部６１１の内側の底部に収納された円形のセンサシート６１３と、そのセンサシート６１３の下に配置されるセンサシート６１３と略同形の硬質基板６１４と、センサシート６１３の上に配置され、トップシンバルパッド部１００からボトムシンバルパッド部２００へ向かう方向に広がる円錐状のコイルバネ６１５と、そのコイルバネ６１５の上部に接触する上方に向かって凸形状を有する蓋部６１６とから構成されている。
【０１６４】
また、ケース６１１の中央には開口部６１１ｃが設けられているが、この開口部６１１ｃは、変位センサ６１０の上下を貫通する貫通孔の一部である。特に図示はしないが、センサシート６１３、硬質基板６１４、及び、蓋部６１６のそれぞれの部材の中央にもまた、この貫通孔の一部となる開口部が設けられている。開口部６１１ｃを初めとする各開口部とコイルバネ６１５の中央とに、エクステンションロッド４２０を挿通するためのスリーブ６１２が挿通されている。
【０１６５】
エクステンションロッド４２０は、変位センサ６１０の内部を貫通するスリーブ６１２に挿通されているので、変位センサ６１０には、エクステンションロッド４２０の撓みが直接伝わらない。このような構造によって、変位センサ６１０による後述するようなトップシンバルパッド部１００の変位量の検出において、エクステンションロッド４２０の撓みが影響することなく、高精度な変位量の検出を可能とする。
【０１６６】
この変位センサ６１０では、非図示のペダルが踏み込まれると、エクステンションロッド４２０が下降し、トップシンバルパッド部１００とボトムシンバルパッド部２００との間がその踏み込み量に応じて開状態（オープン状態）（図１に示す状態）から閉状態（クローズ状態）（図２に示す状態）へ移行する。エクステンションロッド４２０には、第１固定手段５００により、トップシンバルパッド部１００が固定されているので、ペダルの踏み込みによってエクステンションロッド４２０が下降すると、回転止め部材５０１も一緒に下降する。回転止め部材５０１が下降すると、回転止め部材５０１の下側により、蓋部６１６が押し下げられる。それによって、コイルバネ６１５は、センサシート６１３や硬質基板６１４に対して押しつけられて圧縮され、その圧縮力により上下方向に変形する。
【０１６７】
このようにコイルバネ６１５が上下方向に圧縮されて生じた変形を、センサシート６１３を用いて電気的に検出し、出力用ジャック２４０を介する非図示の配線により外部の処理装置へ出力することによって、ペダルの踏み込みによるエクステンションロッド４２０の上下方向変位量、即ち、ペダルの踏み込みによるトップシンバルパッド部１００の変位量が検出される。
【０１６８】
ここで、図１１を参照して、変位センサ６１０のセンサ部分について説明する。図１１は、変位センサ６１０のセンサ部分をエクステンションロッド４２０の挿通方向に分解した図である。なお、「変位センサ６１０のセンサ部分」とは、コイルバネ６１と、センサシート６１３と、硬質基板６１４とから構成される部分を意味する。
【０１６９】
センサシート６１３は、図１１に示すような積層体であり、コイルバネ６１５に隣接する側から順に、押圧フィルム６１３ａと、ベースフィルム６１３ｂと、ベースフィルム６１３ｂに印刷されている導電印刷部６１３ｃと、ベースフィルム６１３ｂに印刷されているカーボン印刷部６１３ｄと、スペーサフィルム６１３ｅとが配置されている。
【０１７０】
押圧フィルム６１３ａは、ポリエステルなどのプラスチックフィルムなどからなる薄膜であり、コイルバネ６１５の広口部６１５ａと略同一の外径と広口部６１５ａを載置可能な幅とを有する略円環状の外周部６１３ａ１と、直径方向に横断する２本の細長い押圧部６１３ａ２と、スリーブ６１２を挿通可能な内径を有する円環状の内周部６１３ａ３とを有している。
【０１７１】
ベースフィルム６１３ｂは、絶縁性を有する樹脂製の薄膜であり、押圧フィルム６１３ａに対向する面とは反対側の面に、円環状の導電印刷部６１３ｃが印刷され、導電印刷部６１３ｃを被覆するようにカーボン印刷部６１３ｄが印刷されている。カーボン印刷部６１３ｄは、導電印刷部６１３ｃを覆う円環状の円環部６１３ｄ２と、その円環部６１３ｄ２の直径方向に外側へ向けて突出する２本の細長い抵抗部６１３ｄ１とを有している。センサシート６１３において、抵抗部６１３ｄ１は、押圧部６１３ａ２による押圧を受けることが可能な位置に配置されている。
【０１７２】
スペーサフィルム６１３ｅは、絶縁性を有する樹脂製の薄膜であり、スリーブ６１２を挿通可能な内径を有する貫通孔６１３ｅ２と、センサシート６１３において、抵抗部６１３ｄ１に対応する位置の近傍を露出する２つの貫通孔６１３ｅ１とを有している。また、貫通孔６１３ｅ１の形成により、スペーサフィルム６１３の外周部分に残存する幅は、広口部６１５ａを載置可能な幅を有している。
【０１７３】
硬質基板６１４は、ガラス基材エポキシ積層板などからなる薄板状の基板であり、スリーブ６１２を挿通可能な貫通孔６１４ｃと、センサシート６１３に対向する側の面において、抵抗部６１３ｄ１と接触可能な位置に設けられている２本の細長い導電パターン６１４ａと、センサシート６１３に対向する側の面と反対側の面に設けられ、非図示のスルーホールを介して導電パターン６１４ａと接続されている引出しパターン６１４ｂとから構成されている。なお、導電パターン６１４ａ及び引出しパターン６１４ｂは、いずれも、銅箔などの金属により形成される導電性を有するパターンである。
【０１７４】
変位センサ６１０のセンサ部では、スペーサフィルム６１３ｅの貫通孔６１３ｅ２により、抵抗部６１３ｄ１と導電パターン６１４ａとが、離間された状態で互いに露出される。そのため、静置時には、抵抗部６１３ｄ１と導電パターン６１４ａとは接触せず、電流が導通されない。
【０１７５】
一方で、非図示のペダルの踏み込みによる回転止め部材５０１の下降によってコイルバネ６１５が、その頂上部から広口部６１５ａへ向けて押圧されると、コイルバネ６１５が圧縮されて、コイルバネ６１５の線材（後述する線材６１５ｂ）が、押圧フィルム６１３ａの押圧部６１３ａ２を押圧する。その押圧は、抵抗部６１３ｄ１に伝達されて、その結果として、硬質基板６１４の導電パターン６１４ａに接触し、引出しパターン６１４ｂを介して電流が導通される。
【０１７６】
次に、図１２を参照して、変位センサ６１５のセンサ部によるトップシンバルパッド部１００の変位量の検出の概要について説明する。図１２は、変位センサ６１０によるトップシンバルパッド部１００の変位量の検出を模式的に説明する図であり、図１２（ａ）→図１２（ｂ）→図１２（ｃ）の順で、コイルバネ６１５にトップシンバルパッド部１００の下降による変位に伴う押圧力が増大された場合について示している。なお、図１２は、図１１に示した変位センサ６１０のセンサ部が組み立てられた状態において、図１１の押圧フィルム６１３ａ上に示したＤ−Ｄ線に対応する位置で各部材を切断した場合の断面図である。また、図１２では、図面簡略化のために、センサシート６１３における、スペーサフィルム６１３ｅ以外の層、即ち、押圧フィルム６１３ａ及びベースフィルム６１３ｂと、ベースフィルム６１３ｂに印刷されている導電印刷部６１３ｃ及びカーボン印刷部６１３ｄとをまとめてセンサ層６１３Ａとして図示している。
【０１７７】
コイルバネ６１５が押圧されていない場合、コイルバネ６１５の広口部６１５ａの線材がスペーサフィルム６１３の外周部分に載置されるのみであるので、センサ層６１３Ａに含まれる抵抗部６１３ｄ１と、硬質基板６１４の導電パターン６１４ａとは非接触とされ、電流は導通しない。
【０１７８】
図１２（ａ）に示すように、トップシンバルパッド部１００の下降によってコイルバネ６１５が僅かに押圧されると、コイルバネ６１５が圧縮変形され、コイルバネ６１５における広口部６１５ａ以外の線材６１５ｂがセンサ層６１３Ａを押圧すると、その押圧が、押圧フィルム６１３ａの押圧部６１３ａ２及び抵抗部６１３ｄ１に伝達され、その結果として、抵抗部６１３ｄ１と導電パターン６１４ａとが接触し、電流が導通する。
【０１７９】
図１２（ｂ）は、図１２（ａ）に示した状態よりさらにトップシンバルパッド部１００が下降し、コイルバネ６１５がさらに圧縮変形された状態を示しており、図１２（ａ）より多くの線材６１５ｂがセンサ層６１３Ａを押圧している。その結果として、カーボン印刷である抵抗部６１３ｄ１と導電パターン６１４ａとの接触位置が変化する。よって、その接触位置間の電気抵抗値は、図１２（ａ）の場合よりも減少する。
【０１８０】
図１２（ｃ）は、図１２（ｂ）に示した状態よりさらにトップシンバルパッド部１００が下降した場合を示す図であり、コイルバネ６１５はさらに圧縮変形されて、図１２（ｂ）より多くの線材６１５ｂがセンサ層６１３Ａを押圧している。その結果として、カーボン印刷である抵抗部６１３ｄ１と導電パターン６１４ａとの接触位置同士の距離は、図１２（ｂ）の場合より減少する。よって、その接触位置間の電気抵抗値は、図１２（ｂ）の場合よりも減少する。
【０１８１】
即ち、トップシンバルパッド部１００の下降に伴い、カーボン印刷である抵抗部６１３ｄ１と導電パターン６１４ａとの接触位置が変化するので、接触位置同士の距離が変化することになる。従って、この接触位置間の電気抵抗値を検出することによって、トップシンバルパッド部１００の上下の変位量を検出することができる。
【０１８２】
コイルバネ６１５の押圧による圧縮変形を、抵抗部６１３ｄ１に伝達する押圧部６１３ａ２が細長く形成されているので、コイルバネ６１５に付与された押圧量を集中的に抵抗部６１３ｄ１に伝達させることができる。よって、コイルバネ６１５に付与された押圧量の変化に伴う電気抵抗値の変化を高精度に検出することができる。
【０１８３】
次に、本発明の電子ハイハットシンバル１において、トップシンバルパッド部１００とボトムシンバルパッド部２００とをリンク接続する場合について説明する。図１３は、本発明の電子ハイハットシンバル１を後方から見た図である。トップシンバルパッド部１００のケース部１０２ｅの後方側に設けられているステレオジャック１５０の開口部（非図示）に、可撓性を有するケーブル１５２の一端であるＬ字型のプラグ１５１が嵌挿され、一方で、ケーブル１５２の他端に設けられているＬ字型のプラグ２５２が、ボトムシンバルパッド部２００のケース部２０２ｅの後方側にに設けられているステレオジャック２５０の開口部（非図示）に嵌挿されている。
【０１８４】
図１３に示すように、ステレオジャック１５０及びステレオジャック２５０の開口部がいずれも後方側を向いているので、ケーブル１５２を可能な限り短く、省スペースに配線することができる。なお、ステレオジャック１５０及びステレオジャック２５０の開口部がいずれも後方側である場合には、電子ハイハットシンバル１の閉状態（クローズ状態）における省スペース化を図ることができる。一方で、ステレオジャック１５０及びステレオジャック２５０の開口部がいずれも右側又は左側に設けることも可能であり、この場合は、トップシンバルパッド部１００及びボトムシンバルパッド部２００の揺動がいずれも前後方向に規制されているので、プラグ１５１及びプラグ２５１が脱落し難くなる。
【０１８５】
また、プラグ１５１及びプラグ２５２は、いずれもＬ字型プラグであるので、トップシンバルパッド部１００の上下動に応じて、ケーブルが伸びたり屈曲したりを繰り返すような場合であっても、ステレオジャック１５０及びステレオジャック２５０の開口部において、プラグ１５１及びプラグ２５２における嵌挿部分が、適宜、長軸周りに自在に回転できる。よって、プラグ１５１及びプラグ２５２が引っ張られて、ステレオジャック１５０及びステレオジャック２５０から脱落することを抑制できると共に、プラグ１５１及びプラグ２５２にかかる負担を低減し、プラグの傷みを防止することができる。
【０１８６】
次に、図１４を参照して、本発明の電子ハイハットシンバル１におけるトップシンバルパッド部１００とボトムシンバルパッド部２００との滑り機構について説明する。図１４は、本発明の電子ハイハットシンバル１が閉状態（クローズ状態）において打撃された際に前方に傾いた状態を、図１と同じ切断線で切断した断面図であり、本実施例では、説明を容易にするために、閉状態（クローズ状態）の場合についてのみ説明する。
【０１８７】
先に説明したように、トップシンバルパッド部１００は、第１固定手段５００により前後方向に揺動可能に固定されており、一方で、ボトムシンバルパッド部２００は、第２固定手段により前後方向に揺動可能に固定されている。そのため、トップシンバルパッド部１００の上側が打撃されると、トップシンバルパッド部１００は前後方向に揺動し、トップシンバルパッド部１００の揺動が、ボトムシンバルパッド部２００へ伝達され、ボトムシンバルパッド部２００もまた、前後方向に揺動することを開始する。
【０１８８】
トップシンバルパッド部１００とボトムシンバルパッド部２００との接触部分には、それぞれ、いずれも滑性を有する材質からなるエッジ滑りチューブ１４０とエッジ滑りフィルム２１２が設けられているため、エッジ滑りフィルム２１２上をエッジ滑りチューブ１４０がスムーズに滑る。それによって、トップシンバル部１００及びボトムシンバルパッド部２００の揺動はスムーズに行なわれることとなり、その結果として、打撃の感触がアコースティックなハイハットシンバルに類似した自然な感触となる。
【０１８９】
また、図１４に示すように、トップシンバルパッド部１００及びボトムシンバルパッド部２００が前方へ傾いている状態においては、エッジ滑りチューブ１４０がエッジ滑りフィルム２１２上の紙面左側の端部に到達している。図示はしないが、トップシンバルパッド部１００及びボトムシンバルパッド部２００が後方へ傾いた状態においては、エッジ滑りチューブ１４０は、エッジ滑りフィルム２１２上の紙面右側の端部に到達する。即ち、前後方向に揺動する際に、エッジ滑りチューブ１４０は、エッジ滑りフィルム２１２の端から端までを移動する。よって、エッジ滑りフィルム２１２が適度な範囲で幅広に形成されることによって、揺動時のエッジ滑りチューブ１４０との滑合可能領域を十分に確保することができる。
【０１９０】
以上のように、本発明の電子ハイハットシンバル１によれば、トップシンバルパッド部１００及びボトムシンバルパッド部２００が共に揺動可能に固定されているので、よりアコースティックなハイハットシンバルに近い演奏感を得ることができる。
【０１９１】
また、トップシンバルパッド部１００とボトムシンバルパッド部２００とには、それぞれ、エッジ滑りチューブ１４０とエッジ滑りフィルム２１２とが設けられているので、トップシンバルパッド部１００の打撃によるトップシンバルパッド部１００及びボトムシンバルパッド部２００の接触しつつの揺動は、アコースティックなハイハットシンバルと同様のスムーズなものとなる。よって、打撃の感触がアコースティックなハイハットシンバルに類似した自然な感触を得ることができる。
【０１９２】
更に、トップシンバルパッド部１００及びボトムシンバルパッド部２００は、いずれも、スタンド部４００及びエクステンションロッド４２０の軸周りに回転せず、また、揺動方向が前後方向に規制されているので、センサ類の配置やケーブルの配置などに都合がよい。
【０１９３】
以上、実施例に基づき本発明を説明したが、本発明は上述した実施例に何ら限定されるものではなく、本発明の趣旨を逸脱しない範囲内で種々の改良変更が可能であることは容易に推察できるものである。
【０１９４】
例えば、上記実施例では、エッジ滑りチューブ１４０は、トップシンバルパッド部１００の周囲に環状となるように配置されていたが、これに代えて、突起状の滑り部材を設けるように構成してもよい。
【図面の簡単な説明】
【０１９５】
【図１】本実施例の電子ハイハットシンバルの開状態（オープン状態）における前後方向断面図である。
【図２】本実施例の電子ハイハットシンバルの閉状態（クローズ状態）における前後方向断面図である。
【図３】本実施例の電子ハイハットシンバルの閉状態（クローズ状態）における左右方向断面図である。
【図４】トップシンバルパッド部の裏面側の正面図である。
【図５】本実施例の電子ハイハットシンバルにおけるエッジ滑りチューブ取り付け部分の部分拡大断面図である。
【図６】ボトムシンバルパッド部の裏面側の正面図である。
【図７】ボトムシンバルパッド部を第２固定手段から分離した図である。
【図８】クローズスイッチの構造を説明する図であり、（ａ）は、クローズスイッチを部分的に分解した図であり、（ｂ）は、（ａ）におけるＣ−Ｃ線の断面を、その断面方向から見た図である。
【図９】第２固定手段を説明する図である。
【図１０】図３の断面図における第２固定手段周辺部分の部分拡大断面図である。
【図１１】変位センサのセンサ部分をエクステンションロッドの挿通方向に分解した図である。
【図１２】変位センサによるトップシンバルパッド部の変位量の検出を模式的に説明する図であり、（ａ）は、コイルバネが僅かに押圧された状態を示す図であり、（ｂ）は、（ａ）に示した状態よりさらにコイルバネが押圧された状態を示す図であり、（ｃ）は、（ｂ）に示した状態よりさらにコイルバネが押圧された状態を示す図である。
【図１３】本実施例の電子ハイハットシンバルを後方から見た図である。
【図１４】本実施例の電子ハイハットシンバルの閉状態（クローズ状態）における前後方向断面図であり、打撃によって前方へ傾いた状態を示す図である。
【符号の説明】
【０１９６】
１            電子ハイハットシンバル
１００        トップシンバルパッド部（第１のパッド）
１０１ｈ      係止部（係止孔）
１０２ｂ      挿通孔（第１の挿通孔）
１０２ｇ      凹部（溝状の底部を有する凹部）
１１０        振動センサ（第１のセンサ）
１２０        振動センサ取付フレーム（センサ取付部材）
１２１        突起部
１２２        リブ
１４０        エッジ滑りチューブ（滑り部材の一部、第１の滑り部材）
１５０        ステレオジャック（第１の端子嵌挿孔）
１５１        プラグ（第１の端子部）
１５２        ケーブル
２００        ボトムシンバルパッド部（第２のパッド）
２０２ａ      開口部（第３の挿通孔の一部）
２０２ｂ      溝部（第３挿通孔の一部、溝部）
２０２ｆ      突起部（壁部）
２２０        クローズスイッチ（第２のセンサ）
２２１        第１ベースフィルム（第１の膜部材）
２２１ａ      第１の導電パターン
２２２        スペーサフィルム（絶縁膜部材）
２２２ａ      貫通孔（貫通部）
２２３        第２ベースフィルム（第２の膜部材）
２２３ａ      第２の導電パターン
２１２        エッジ滑りフィルム（滑り部材の一部、第２の滑り部材）
２４０        出力用ジャック（第３の端子嵌挿孔）
２５０        ステレオジャック（第２の端子嵌挿孔）
２５１        プラグ（第２の端子部）
４１０        中空シャフト（上下動する軸と同軸上の軸）
４２０        エクステンションロッド（上下動する軸）
５００        第１固定手段（第１の固定手段）
５０１        回転止め部材
５０１ａ      先端部（山部）
５０１ｂ      開口部（第２の挿通孔）
５０１ｄ      パイプ部分（円筒状部材）
５０２        クラッチトップ（パッド固定部材の一部）
５０２ａ      クラッチボルト（パッド固定部材の一部）
５０３        クラッチスクリュー（パッド固定部材の一部）
５０４        ロックナット（第１の押え部材）
６００        第２固定手段（第２の固定手段）
６０１        ボトムアンカ（台座部材）
６０１ａ      開口部（第４の挿通孔）
６０１ｂ      凸部
６０１ｄ      フック部（第１の挟持部）
６０５        ナット（雌ネジ部）
６１１ｄ      突起部（係止部）
６１０        変位センサ（第２の押え部材、第３のセンサ）
６１１        ケース部（第２の押え部材、ケース部材）
６１２        スリーブ（円筒部、軸挿通筒）
６１２ａ      ネジ部（雄ネジ部）
６１３        センサシート（センサシート部材の一部）
６１３ａ      押圧フィルム（押圧用膜部材）
６１３ａ２    押圧部
６１３ｂ      ベースフィルム（第３の膜部材）
６１３ｄ１    抵抗部（導電部）
６１４        硬質基板（センサシート部材の一部）
６１４ａ      導電パターン
６１５        コイルバネ（バネ部材）
６２２        アーム（腕部）
６２２ａ      嵌合部（被挟持部）
６２３        クランプホルダ（第２の挟持部）
【図１】
2005208555.tif 000003
【図２】
2005208555.tif 000004
【図３】
2005208555.tif 000005
【図４】
2005208555.tif 000006
【図５】
2005208555.tif 000007
【図６】
2005208555.tif 000008
【図７】
2005208555.tif 000009
【図８】
2005208555.tif 000010
【図９】
2005208555.tif 000011
【図１０】
2005208555.tif 000012
【図１１】
2005208555.tif 000013
【図１２】
2005208555.tif 000014
【図１３】
2005208555.tif 000015
【図１４】
2005208555.tif 000016